(57)【要約】      （修正有）【課題】様々な衛星測位システム（ＳＰＳ）に関連する支援データおよび／または他の同様のデータを要求および／または提供するためにワイヤレス通信ネットワーク内のデバイスが使用するための方法および装置を提供する。【解決手段】移動局はＳＰＳに関連する支援データおよび特定ＳＰＳに対する複数のフォーマットを識別して、支援データの全部または一部および特定ＳＰＳに関する１つまたは複数のフォーマットを指定して通信ネットワークを介してネットワークリソース(基地局、ロケーションサーバ、ＰＤＥなど）へ要求する。ネットワークリソースは要求メッセージに対する支援データを受信して、移動局へ送信することにより要求支援データを取得する。【選択図】図３
2015078997.tif 000002
【特許請求の範囲】
【請求項１】
移動局を用いて、下記を実行することを備える方法：
受信したＳＰＳ信号に少なくとも部分的に基づいて位置決定プロセスをサポートするために前記移動局によって使用される衛星測位システム（ＳＰＳ）に関連する支援データを識別すること；および、
ワイヤレス通信リンクを介して少なくとも１つのメッセージを表す電磁信号を少なくとも１つのネットワークリソースに送信すること、ただし、前記少なくとも１つのメッセージが、前記支援データと、前記支援データが様々なフォーマットで利用可能である場合は前記支援データの特定のフォーマットとを識別する少なくとも１つの要素を備える。
【請求項２】
前記メッセージが前記ＳＰＳのみに関連する、請求項１に記載の方法。
【請求項３】
前記メッセージが、前記特定のフォーマットを識別することが可能なデータフィールドを備える、請求項２に記載の方法。
【請求項４】
前記少なくとも１つのメッセージが、複数のＳＰＳのうちの１つを識別する第１のデータフィールドを使用して前記ＳＰＳに選択的に関連付けることが可能な単一のメッセージを備える、請求項１に記載の方法。
【請求項５】
前記単一のメッセージが、前記特定のフォーマットを識別する第２のデータフィールドを備える、請求項４に記載の方法。
【請求項６】
前記ＳＰＳが少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項１に記載の方法。
【請求項７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項６に記載の方法。
【請求項８】
支援データが、前記ＳＰＳに関連する、エフェメリスデータ、アルマナックデータ、モデルデータ、タイミングデータ、および／または健康データのうちの少なくとも１つを備える、請求項１に記載の方法。
【請求項９】
前記支援データの前記特定のフォーマットがネイティブフォーマットまたは非ネイティブフォーマットを備える、請求項１に記載の方法。
【請求項１０】
前記少なくとも１つの要素が要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項１に記載の方法。
【請求項１１】
特定の装置を用いて、下記を実行することを備える方法：
移動局からワイヤレス通信リンクを介して送信される少なくとも１つのメッセージを表す電磁信号を受信すること、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する、少なくとも１つの要素を備える；および、
ワイヤレス通信リンクを介して前記移動局に送信される１つまたは複数のメッセージを表す電磁信号を介して前記支援データを提供すること、ただし、前記支援データが前記ＳＰＳに関連しており、前記受信メッセージ中で識別された場合は前記支援データが前記特定のフォーマットで提供される。
【請求項１２】
前記受信メッセージが前記ＳＰＳのみに関連する、請求項１１に記載の方法。
【請求項１３】
前記受信メッセージが、前記特定のフォーマットを識別することが可能なデータフィールドを備える、請求項１２に記載の方法。
【請求項１４】
前記受信メッセージが、複数のＳＰＳのうちの１つを識別する第１のデータフィールドを使用して前記ＳＰＳに選択的に関連付けることが可能な単一のメッセージを備える、請求項１１に記載の方法。
【請求項１５】
前記単一のメッセージが、前記特定のフォーマットを識別する第２のデータフィールドを備える、請求項１４に記載の方法。
【請求項１６】
前記ＳＰＳが少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項１１に記載の方法。
【請求項１７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項１６に記載の方法。
【請求項１８】
支援データが、前記ＳＰＳに関連する、エフェメリスデータ、アルマナックデータ、モデルデータ、タイミングデータ、および／または健康データのうちの少なくとも１つを備える、請求項１１に記載の方法。
【請求項１９】
前記支援データの前記特定のフォーマットがネイティブフォーマットまたは非ネイティブフォーマットを備え、
さらに、前記ネイティブフォーマットで前記支援データを表す電磁信号を前記ＳＰＳから受信することを備える、請求項１１に記載の方法。
【請求項２０】
前記少なくとも１つの要素が要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項１１に記載の方法。
【請求項２１】
移動局内において、下記手段を備える装置：
受信したＳＰＳ信号に少なくとも部分的に基づいて位置決定プロセスをサポートするために前記移動局によって使用される衛星測位システム（ＳＰＳ）に関連する支援データを特定するための手段；および、
ワイヤレス通信リンクを介して少なくとも１つのメッセージを表す電磁信号を少なくとも１つのネットワークリソースに送信するための手段、ただし、前記少なくとも１つのメッセージが、前記支援データと、前記支援データが様々なフォーマットで利用可能である場合は前記支援データの特定のフォーマットとを識別する少なくとも１つの要素を備える。
【請求項２２】
前記メッセージが前記ＳＰＳのみに関連する、請求項２１に記載の装置。
【請求項２３】
前記メッセージが、前記特定のフォーマットを識別することが可能なデータフィールドを備える、請求項２２に記載の装置。
【請求項２４】
前記少なくとも１つのメッセージが、複数のＳＰＳのうちの１つを識別する第１のデータフィールドを使用して前記ＳＰＳに選択的に関連付けることが可能な単一のメッセージを備える、請求項２１に記載の装置。
【請求項２５】
前記単一のメッセージが、前記特定のフォーマットを識別する第２のデータフィールドを備える、請求項２４に記載の装置。
【請求項２６】
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項２１に記載の装置。
【請求項２７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項２６に記載の装置。
【請求項２８】
支援データが、前記ＳＰＳに関連するエフェメリスデータ、アルマナックデータ、モデルデータ、タイミングデータおよび／または健康データのうちの少なくとも１つを備える、請求項２１に記載の装置。
【請求項２９】
前記支援データの前記特定のフォーマットがネイティブフォーマットまたは非ネイティブフォーマットを備える、請求項２１に記載の装置。
【請求項３０】
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項２１に記載の装置。
【請求項３１】
下記手段を備える特定の装置：
移動局からワイヤレス通信リンクを介して送信される少なくとも１つのメッセージを表す電磁信号を受信するための手段、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する少なくとも１つの要素を備える；および、
ワイヤレス通信リンクを介して前記移動局に送信される１つまたは複数のメッセージを表す電磁信号を介して前記支援データを提供するための手段、ただし、前記支援データが前記ＳＰＳに関連しており、前記受信メッセージ中で識別された場合は前記支援データを前記特定のフォーマットで提供する。
【請求項３２】
前記受信メッセージが前記ＳＰＳのみに関連する、請求項３１に記載の特定の装置。
【請求項３３】
前記受信メッセージが、前記特定のフォーマットを識別することが可能なデータフィールドを備える、請求項３２に記載の特定の装置。
【請求項３４】
前記受信メッセージが、複数のＳＰＳのうちの１つを識別する第１のデータフィールドを使用して前記ＳＰＳに選択的に関連付けることが可能な単一のメッセージを備える、請求項３１に記載の特定の装置。
【請求項３５】
前記単一のメッセージが、前記特定のフォーマットを識別する第２のデータフィールドを備える、請求項３４に記載の特定の装置。
【請求項３６】
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項３１に記載の特定の装置。
【請求項３７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項３６に記載の特定の装置。
【請求項３８】
支援データが、前記ＳＰＳに関連するエフェメリスデータ、アルマナックデータ、モデルデータ、タイミングデータおよび／または健康データのうちの少なくとも１つを備える、請求項３１に記載の特定の装置。
【請求項３９】
前記支援データの前記特定のフォーマットがネイティブフォーマットまたは非ネイティブフォーマットを備え、
さらに、前記支援データを前記ネイティブフォーマットで前記ＳＰＳから受信するための手段を備える、請求項３１に記載の特定の装置。
【請求項４０】
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項３１に記載の特定の装置。
【請求項４１】
下記を備える移動局：
衛星測位システム（ＳＰＳ）に関連する電磁信号を受信することが実効的に可能である少なくとも１つの受信機；
少なくとも１つのワイヤレストランシーバ；
前記受信機と前記ワイヤレストランシーバとに動作可能に結合され、下記を行うことが実効的に可能である少なくとも１つの処理ユニット：
前記ＳＰＳに関連する前記受信した電磁信号に少なくとも部分的に基づいて位置決定プロセスをサポートするために前記移動局によって使用される前記ＳＰＳに関連する支援データを識別すること；
前記ワイヤレストランシーバを使用して少なくとも１つのネットワークリソースへのワイヤレス通信リンクを介した少なくとも１つのメッセージを表す電磁信号の送信を開始すること、ただし、前記少なくとも１つのメッセージが、前記支援データと前記支援データが様々なフォーマットで利用可能である場合は前記支援データの特定のフォーマットとを識別する少なくとも１つの要素を備える。
【請求項４２】
前記メッセージが前記ＳＰＳのみに関連する、請求項４１に記載の装置。
【請求項４３】
前記メッセージが、前記特定のフォーマットを識別することが可能なデータフィールドを備える、請求項４２に記載の装置。
【請求項４４】
前記少なくとも１つのメッセージが、複数のＳＰＳのうちの１つを識別する第１のデータフィールドを使用して前記ＳＰＳに選択的に関連付けることが可能な単一のメッセージを備える、請求項４１に記載の装置。
【請求項４５】
前記単一のメッセージが、前記特定のフォーマットを識別する第２のデータフィールドを備える、請求項４４に記載の装置。
【請求項４６】
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項４１に記載の装置。
【請求項４７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項４６に記載の装置。
【請求項４８】
支援データが、前記ＳＰＳに関連するエフェメリスデータ、アルマナックデータ、モデルデータ、タイミングデータおよび／または健康データのうちの少なくとも１つを備える、請求項４１に記載の装置。
【請求項４９】
前記支援データの前記特定のフォーマットがネイティブフォーマットまたは非ネイティブフォーマットを備える、請求項４１に記載の装置。
【請求項５０】
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項４１に記載の装置。
【請求項５１】
下記を行うことが実効的に可能である少なくとも１つの処理ユニットを備える特定の装置：
移動局からワイヤレス通信リンクを介して送信される少なくとも１つのメッセージを表す信号にアクセスすること、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する少なくとも１つの要素を備える；および、
前記少なくとも１つのメッセージに応答して、ワイヤレス通信リンクを介して前記移動局に１つまたは複数のメッセージ内で前記支援データを表す電磁信号の送信を開始すること、ただし、前記支援データが前記ＳＰＳに関連しており、前記受信メッセージ中で識別された場合は前記支援データが前記特定のフォーマットで提供される。
【請求項５２】
前記受信メッセージが前記ＳＰＳのみに関連する、請求項５１に記載の特定の装置。
【請求項５３】
前記受信メッセージが、前記特定のフォーマットを識別することが可能なデータフィールドを備える、請求項５２に記載の特定の装置。
【請求項５４】
前記受信メッセージが、複数のＳＰＳのうちの１つを識別する第１のデータフィールドを使用して前記ＳＰＳに選択的に関連することが可能な単一のメッセージを備える、請求項５１に記載の特定の装置。
【請求項５５】
前記単一のメッセージが、前記特定のフォーマットを識別する第２のデータフィールドを備える、請求項５４に記載の特定の装置。
【請求項５６】
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項５１に記載の特定の装置。
【請求項５７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項５６に記載の特定の装置。
【請求項５８】
支援データが、前記ＳＰＳに関連するエフェメリスデータ、アルマナックデータ、モデルデータ、タイミングデータおよび／または健康データのうちの少なくとも１つを備える、請求項５１に記載の特定の装置。
【請求項５９】
前記支援データの前記特定のフォーマットがネイティブフォーマットまたは非ネイティブフォーマットを備え、
さらに、前記少なくとも１つの処理ユニットに動作可能に結合され、前記ＳＰＳから前記支援データを前記ネイティブフォーマットで受信することが実効的に可能なＳＰＳ受信機を備える、請求項５１に記載の特定の装置。
【請求項６０】
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項５１に記載の特定の装置。
【請求項６１】
移動局中の１つまたは複数の処理ユニットによって実行されると、前記移動局が下記を行うことが実効的に可能になるコンピュータ実行可能命令がその上に記憶されたコンピュータ可読記憶媒体を備える物品：
位置決定プロセスの一部として、受信したＳＰＳ信号に少なくとも部分的に基づいて位置決定プロセスをサポートするために前記移動局によって使用される衛星測位システム（ＳＰＳ）に関連する支援データを識別すること；および、
少なくとも１つのネットワークリソースにワイヤレス通信リンクを介して少なくとも１つのメッセージを表す電磁信号の送信を開始すること、ただし、前記少なくとも１つのメッセージが、前記支援データと前記支援データが様々なフォーマットで利用可能である場合は前記支援データの特定のフォーマットとを識別する少なくとも１つの要素を備える。
【請求項６２】
前記メッセージが前記ＳＰＳのみに関連する、請求項６１に記載の物品。
【請求項６３】
前記メッセージが、前記特定のフォーマットを識別することが可能なデータフィールドを備える、請求項６２に物品。
【請求項６４】
前記少なくとも１つのメッセージが、複数のＳＰＳのうちの１つを識別する第１のデータフィールドを使用して前記ＳＰＳに選択的に関連付けることが可能な単一のメッセージを備える、請求項６１に記載の物品。
【請求項６５】
前記単一のメッセージが、前記特定のフォーマットを識別する第２のデータフィールドを備える、請求項６４に記載の物品。
【請求項６６】
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項６１に記載の物品。
【請求項６７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項６６に記載の物品。
【請求項６８】
支援データが、前記ＳＰＳに関連するエフェメリスデータ、アルマナックデータ、モデルデータ、タイミングデータおよび／または健康データのうちの少なくとも１つを備える、請求項６１に記載の物品。
【請求項６９】
前記支援データの前記特定のフォーマットがネイティブフォーマットまたは非ネイティブフォーマットを備える、請求項６１に記載の物品。
【請求項７０】
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項６１に記載の物品。
【請求項７１】
ワイヤレスネットワークリソースデバイスの１つまたは複数の特定の装置によって実行されると、前記特定の装置が下記を行うことが実効的に可能になるコンピュータ実行可能命令がその上に記憶されたコンピュータ可読媒体を備える物品：
移動局からワイヤレス通信リンクを介して受信する１つまたは複数の電磁信号の場合のように少なくとも１つのメッセージを表す少なくとも１つの信号にアクセスすること、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する少なくとも１つの要素を備える；
前記支援データを表す信号にアクセスすること、ただし、前記支援データが前記ＳＰＳに関連しており、前記受信メッセージ中に識別された場合は前記支援データが前記特定のフォーマットで提供される；および、
前記移動局にワイヤレス通信リンクを介して１つまたは複数のメッセージ内で前記支援データを表す前記アクセス信号を表す１つまたは複数の電磁信号の送信を開始すること。
【請求項７２】
前記受信メッセージが前記ＳＰＳのみに関連する、請求項７１に記載の物品。
【請求項７３】
前記受信メッセージが、前記特定のフォーマットを識別することが可能なデータフィールドを備える、請求項７２に記載の物品。
【請求項７４】
前記受信メッセージが、複数のＳＰＳのうちの１つを識別する第１のデータフィールドを使用して前記ＳＰＳに選択的に関連付けることが可能な単一のメッセージを備える、請求項７１に記載の物品。
【請求項７５】
前記単一のメッセージが、前記特定のフォーマットを識別する第２のデータフィールドを備える、請求項７４に記載の物品。
【請求項７６】
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項７１に記載の物品。
【請求項７７】
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、請求項７６に記載の物品。
【請求項７８】
支援データが、前記ＳＰＳに関連するエフェメリスデータ、アルマナックデータ、モデルデータ、タイミングデータおよび／または健康データのうちの少なくとも１つを備える、請求項７１に記載の物品。
【請求項７９】
前記支援データの前記特定のフォーマットがネイティブフォーマットまたは非ネイティブフォーマットを備える、請求項７１に記載の物品。
【請求項８０】
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項７１に記載の物品。
【発明の詳細な説明】
【技術分野】
【０００１】
関連出願
本特許出願は、本出願の譲受人に譲渡され、参照により本明細書に明確に組み込まれる、２００８年７月１８日に出願された「Provision of Ephemeris and Almanac Data for Assisted-GNSS Location Protocols」と題する米国特許仮出願第６１／０８１，９８５号の利益および優先権を主張する。
【０００２】
本特許出願は、本出願の譲受人に譲渡され、参照により本明細書に明確に組み込まれる、２００８年７月２３日に出願された「Support for Additional Navigation Satellite Systems in Existing Location Protocols」と題する米国特許仮出願第６１／０８３，０８０号の利益および優先権を主張する。
【０００３】
本特許出願は、本出願の譲受人に譲渡され、参照により本明細書に明確に組み込まれる、２００８年８月１３日に出願された「Support for Additional Navigation Satellite Systems in Existing Location Protocols」と題する米国特許仮出願第６１／０８８，５９０号の利益および優先権を主張する。
【０００４】
本特許出願は、本出願の譲受人に譲渡され、参照により本明細書に明確に組み込まれる、２００８年８月２５日に出願された「GNSS Request/Response Elements for IS-801-B」と題する米国特許仮出願第６１／０９１，６９５号の利益および優先権を主張する。
【０００５】
本明細書で開示する主題は、ワイヤレス通信ネットワークおよびデバイスに関し、より詳細には、様々な衛星測位システム（ＳＰＳ）に関連する支援データおよび／または他の同様のデータを要求および／または提供するためにワイヤレス通信ネットワーク内のデバイスが使用する方法および装置に関する。
【背景技術】
【０００６】
ワイヤレス通信ネットワークに関連するデバイスのロケーションを推定あるいは何らかの方法で決定するために、位置決定プロセスを使用することができる。特定の例では、セルラー電話または他の同様の移動局などのモバイルデバイスのロケーション座標を推定するために、位置決定プロセスを実装することができる。位置決定プロセスをサポートするために利用可能な様々な技法がある。たとえば、移動局のロケーションを推定するために、Ｇｌｏｂａｌ  Ｐｏｓｉｔｉｏｎｉｎｇ  Ｓｙｓｔｅｍ（ＧＰＳ）などの衛星測位システム（ＳＰＳ）および／または他の同様のシステムを使用することができる。ワイヤレス通信ネットワークに関して、いくつかの位置決定プロセスでは、情報および／または処理タスクを複数のデバイス間で共有および／または分配する必要がある。たとえば、いくつかの例では、位置決定プロセスの一部として、１つまたは複数の他のデバイスが移動局を何らかの方法で支援することがある。したがって、そのようなデバイスが、何らかの方法で、たとえば、ワイヤレスリンクを介した１つまたは複数の位置決定通信セッションを介して通信することがしばしば必要である。したがって、そのような位置決定通信セッションを可能にするために、したがって位置決定プロセスをサポートするために、１つまたは複数のポジショニングプロトコルが開発される。
【発明の概要】
【０００７】
一態様によれば、ワイヤレス通信ネットワーク内の移動局とともに使用する方法および／または装置を提供することができる。本方法および／または装置は、受信したＳＰＳ信号に少なくとも部分的に基づいて位置決定プロセスをサポートするために移動局によって使用される衛星測位システム（ＳＰＳ）に関連する支援データを識別することができる。本方法および／または装置は、少なくとも１つのメッセージを表す信号をワイヤレス通信リンクを介して少なくとも１つのネットワークリソースに送信することまたは送信を開始することができ、メッセージは、支援データと、支援データが様々なフォーマットで利用可能である場合には支援データの特定のフォーマットとを識別する少なくとも１つの要素を含む。たとえば、支援データの特定のフォーマットは、ネイティブフォーマットまたは非ネイティブフォーマットを含み得る。
【０００８】
別の態様によれば、ワイヤレス通信ネットワーク内のネットワークリソースとともに使用する方法および／または装置を提供することができる。本方法および／または装置は、移動局からワイヤレス通信リンクを介して送信される少なくとも１つのメッセージを表す信号を受信することができ、メッセージは、支援データが様々なフォーマットで利用可能である場合に、ＳＰＳに関連する支援データを識別し、支援データの特定のフォーマットを識別する少なくとも１つの要素を含む。本方法および／または装置は、ワイヤレス通信リンクを介して移動局に送信される１つまたは複数のメッセージを表す信号を介して支援データを提供することができ、支援データをＳＰＳに関連付けることができ、受信メッセージ中で識別された場合、支援データを特定のフォーマットで提供することができる。たとえば、支援データの特定のフォーマットは、ネイティブフォーマットまたは非ネイティブフォーマットを含み得る。
【０００９】
いくつかの例示的な実装形態では、ＳＰＳは、たとえば、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、近代化Ｇｌｏｂａｌ  Ｐｏｓｉｔｉｏｎｉｎｇ  Ｓｙｓｔｅｍ（ＧＰＳ）など、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を含むことができる。いくつかの例示的な実装形態では、支援データは、ＳＰＳに関連するエフェメリスデータ、アルマナックデータ、モデルデータ、タイミングデータ、健康データ、および／または他の同様のデータを含むことができる。
【図面の簡単な説明】
【００１０】
【図１】一実装形態による、少なくとも２つのデバイスが互いに通信し、位置決定プロセスを開始および／あるいはサポートすることが可能である例示的なワイヤレス通信ネットワーク環境を示す概略ブロック図。
【図２】一実装形態による、位置決定プロセスを開始および／あるいはサポートすることが可能であるデバイスのいくつかの例示的な特徴を示す概略ブロック図。
【図３】一実装形態による、位置決定プロセスを開始および／あるいはサポートするために１つまたは複数のデバイスに実装される例示的な方法を示す流れ図。
【図４】一実装形態による、位置決定プロセスを開始および／あるいはサポートするために１つまたは複数のデバイスおよび／またはロケーションサーバに実装されるさらに別の例示的な方法を示す流れ図。
【図５】一実装形態による、位置決定プロセスを開始および／あるいはサポートするためにいくつかのデバイス間／中で送信されるメッセージに含まれるいくつかの例示的な情報を例示的に示すブロック図。
【図６】一実装形態による、位置決定プロセスをサポートするためにいくつかのデバイス間／中で送信される移動局機能メッセージに含まれるいくつかの例示的な情報を例示的に示すブロック図。
【詳細な説明】
【００１１】
以下の図を参照しながら非限定的で非網羅的な態様について説明し、別段の規定がない限り、様々な図の全体を通して、同様の参照番号は同様の部分を指す。
【００１２】
位置決定プロセスを使用して、デバイスのロケーションを、特定の例では、移動局などのモバイルデバイスのロケーションを推定あるいは何らかの方法で決定することができる。位置決定プロセスをサポートするために利用可能な様々な技法がある。ワイヤレス通信ネットワークに関して、いくつかの位置決定プロセスでは、複数のデバイス間および／または複数のデバイス中に情報および／または処理タスクを分散する必要がある。たとえば、いくつかの例では、位置決定プロセスの一部として、１つまたは複数の他のデバイスが移動局を何らかの方法で支援することがある。したがって、そのようなデバイスは、何らかの方法で、たとえば、ワイヤレスリンクを介して、１つまたは複数の通信セッション、たとえば、（たとえば、支援データ配信、位置要求／応答セッション、および／または他の同様のプロセスをサポートすることができる）「位置決定通信セッション」を介して通信する必要がある。様々な位置決定プロセスをサポートするためのそのような位置決定通信セッションを可能にするために、１つまたは複数のポジショニングプロトコルが開発される。そのようなポジショニングプロトコルは、たとえば、衛星測位システム（ＳＰＳ）からネットワーク内の１つまたは複数のデバイスによって受信される支援データが、移動局によって要求され、移動局に提供されるようにすることができる。そのようなポジショニングプロトコルはまた、移動局に、測位命令、たとえば、所望のロケーション精度または応答時間などのサービス品質パラメータを提供することができ、移動局が２つ以上のＳＰＳなどの２つ以上の測位システムをサポートする場合は、許可されたまたは所望の測位システムを提供することができる。
【００１３】
したがって、本明細書のいくつかの態様によれば、ワイヤレス通信ネットワーク内の移動局において使用する方法および装置を提供することができる。移動局は、たとえば、基地局、ロケーションサーバ（たとえば、位置決定エンティティ（ＰＤＥ）、サービングモバイルロケーションセンター（ＳＭＬＣ）、ゲートウェイモバイルロケーションセンター（ＧＭＬＣ）、スタンドアロンＳＬＭＣ（ＳＡＳ）、セキュアユーザプレーンロケーションプラットフォーム（ＳＵＰＬ  ＳＬＰ））など、ワイヤレス通信ネットワーク中の他のリソースから１つまたは複数のＳＰＳに関連する支援データを要求することが可能である。
【００１４】
したがって、１つの例示的なポジショニングプロトコルバージョンによれば、移動局は、少なくとも１つのネットワークリソースに送信される少なくとも１つのメッセージ（たとえば、位置決定データメッセージ（ＰＤＤＭ）など）内で１つまたは複数のＳＰＳに関連する支援データを要求することが可能である。逆に、たとえば、基地局などは、移動局に送信される少なくとも１つのメッセージ内で１つまたは複数のＳＰＳに関連する支援データを提供することが可能である。ここで、たとえば、メッセージは、要求および／または提供されている支援データと、（オプションで）支援データが様々なフォーマットで利用可能である場合、支援データの特定のフォーマットとを何らかの方法で識別する少なくとも１つの要素（たとえば、要求要素、応答要素など）を含むことができる。
【００１５】
別の例示的なポジショニングプロトコルバージョンによれば、対応する位置測定要求メッセージ中で提供される支援データが、移動局が要求されたロケーション測定を実行するには不十分である場合、または、提供された支援データが、移動局によって所望またはサポートされるフォーマットでない場合、移動局は位置測定応答メッセージ内で１つまたは複数のＳＰＳに関連する支援データを要求することが可能である。
【００１６】
たとえば、いくつかの実装形態では、様々な特定のタイプのＰＤＤＭまたは支援データ情報要素（ＩＥ）を定義し、様々なタイプのＳＰＳおよび／または関係する関連支援データに関連付けることができる。さらに、適用可能なとき、いくつかの特定のタイプのＰＤＤＭまたは支援データ情報要素は、要求または提供されている支援データの特定のフォーマットを何らかの方法で識別する少なくとも１つのデータフィールドを含むことができる。簡潔のために、この詳細な説明内では、「ＰＤＤＭ」という用語をしばしば使用するが、どんな適用可能な１つまたは複数のメッセージ（たとえば、（１つまたは複数の）支援データ情報要素など）をも採用することができることを認識されたい。したがって、別段の記載がない限り、請求する主題で提示するメッセージおよび／または信号送信はＰＤＤＭタイプのメッセージ／信号に限定されるものではない。
【００１７】
他の例示的な実装形態では、複数の異なるＳＰＳおよび／または関連する支援データのうちの１つに選択的に関連付けることができる、１つまたは複数の「汎用」タイプのＰＤＤＭまたは支援データ情報要素、あるいはＰＤＤＭまたは支援データ情報要素内のデータフィールドを定義することができる。たとえば、単一のＰＤＤＭまたは支援データ情報要素を定義し、第１のＳＰＳまたは第２のＳＰＳのいずれか、および／あるいは第１のＳＰＳまたは第２のＳＰＳのいずれかに関係する特定のタイプの支援データに、何らかの方法で選択的に関連付けることができる。たとえば、そのような単一のＰＤＤＭまたは支援データ情報要素は、少なくとも、ＰＤＤＭまたは支援データ情報要素がどのＳＰＳおよび／または関係する支援データに関連付けられているのかを何らかの方法で識別する第１のデータフィールドを含むことができる。ＰＤＤＭまたは支援データ情報要素中に含まれるデータフィールドの意味および解釈を、たとえば、識別されたＳＰＳに少なくとも部分的に基づいて決定することができる。たとえば、特定のＳＰＳを識別するデータフィールドに基づいてその意味を決定することができる「汎用」衛星健康情報データフィールドなどを定義することができる。たとえば、ＳＰＳごとに異なる特定の意味を有する「汎用」データフィールドを使用することができ、したがって、ＳＰＳを識別するデータフィールドに基づいて（たとえば、受信機において）それに応じて処理することができる。さらに、適用可能なとき、そのような単一のＰＤＤＭまたは支援データ情報要素は、要求または提供されている支援データの特定のフォーマットを何らかの方法で識別する１つまたは複数のデータフィールドを含むことができる。
【００１８】
いくつかの例示的な実装形態では、移動局は、ネットワークリソースに対して様々な支援データ要素またはフォーマットのそのサポートを示すことが可能である。そのようなプロセスは、たとえば、ネットワークにおける登録中に実行できるが、移動局は、関係するネットワークエンティティに、またはいくつかの機能交換メッセージを介して、その機能を報告する。いくつかの支援データタイプが様々なフォーマットで可能である場合、サポートされる支援データタイプまたはフォーマットを知ることにより、移動局が特定のＳＰＳに対してすべての指定のまたは可能なフォーマットまたはフォーマットの組合せをサポートしない場合、ネットワークリソース（たとえばＰＤＥ、ＳＭＬＣ、ＳＬＰなど）は、移動局がサポートする支援データ要素またはフォーマットのみをＰＤＤＭ、位置要求または支援データ配信メッセージ中で提供することが可能になる。
【００１９】
いくつかの例示的な実装形態では、ＳＰＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、近代化Ｇｌｏｂａｌ  Ｐｏｓｉｔｉｏｎｉｎｇ  Ｓｙｓｔｅｍ（ＧＰＳ）などのＧｌｏｂａｌ  Ｎａｖｉｇａｔｉｏｎ  Ｓａｔｅｌｌｉｔｅ  Ｓｙｓｔｅｍ（ＧＮＳＳ）を含むことができる。ＳＰＳ関係支援データは、たとえば、所与のＳＰＳに関連するエフェメリスデータ、アルマナックデータ、（たとえば、大気状態に関係する）様々なモデルデータ、タイミングデータ、（たとえば、衛星健康状態に関係する）健康データ、および／または他の同様のデータを含むことができる。所与のＳＰＳに関連する他のデータの例には、特定のＳＰＳが２つ以上の信号をサポートし、現在のＳＰＳコンスタレーションが、様々な信号をサポートする衛星からなる場合に、特定のＳＰＳ衛星によってサポートされるレンジング信号の指示がある。そのような情報はまた、ＳＰＳが、衛星ごとに異なる周波数を使用する場合、信号周波数の指示を含み、たとえば、ＧＬＯＮＡＳＳの場合、チャネル周波数番号の指示を含むことができる。支援データは、いくつかの例示的な実装形態では、ＳＰＳ、支援データのタイプ、移動局、基地局、ロケーションサーバ、ＰＤＤＭのタイプ、要求要素、応答要素などに応じて、１つまたは複数のネイティブフォーマット、非ネイティブフォーマット、および／または何らかの他のフォーマットで提供される。
【００２０】
ネイティブフォーマットは、たとえば、個々のＳＰＳによって使用および定義され、このＳＰＳのそれぞれのインターフェース管理文書（ＩＣＤ）またはインターフェース仕様（ＩＳ）中で指定されたナビゲーションメッセージデータフォーマットであり得る。
【００２１】
非ネイティブフォーマットは、たとえば、個々のＳＰＳまたは他のソースによって定義され、使用されることが元来意図されていない（たとえば、このＳＰＳのＩＣＤまたはＩＳ中で定義されていない）ＳＰＳのために使用されるナビゲーションメッセージデータフォーマットであり得る。ここで、たとえば、ＧＰＳによって定義され、ＧＰＳ  ＩＣＤまたはＩＳ中で指定されるが、ＧＬＯＮＡＳＳに使用されるエフェメリスデータフォーマットは、ＧＬＯＮＡＳＳ  ＳＰＳ用の非ネイティブフォーマットと見なすことができる。
【００２２】
非ネイティブ支援データの提供は、いくつかの例示的な実装形態では、いくつかのネイティブナビゲーションデータの欠如を克服するために利点を有する。たとえば、ＧＬＯＮＡＳＳナビゲーションメッセージデータは、ＧＬＯＮＡＳＳ信号の電離層電磁波伝搬効果をモデル化するためのパラメータまたは要素をネイティブに含まない。ＧＰＳのような他のＳＰは、たとえば、ネイティブに電離層モデルデータを提供する。したがって、たとえば、ＧＰＳ電離層モデルパラメータがＧＬＯＮＡＳＳ  ＳＰＳ受信機に提供される場合、ＧＬＯＮＡＳＳ受信機は、たとえば、ＧＰＳ信号に比較してＧＬＯＮＡＳＳ信号の送信周波数が異なることを考慮に入れることによって、電離層効果に対してＧＬＯＮＡＳＳ測定を調整するために電離層モデルパラメータを利用することができる。
【００２３】
いくつかの例示的な実装形態では、ＰＤＤＭ内の要素は、Ｔｅｌｅｃｏｍｍｕｎｉｃａｔｉｏｎｓ  Ｉｎｄｕｓｔｒｙ  Ａｓｓｏｃｉａｔｉｏｎ（ＴＩＡ）「ＩＳ−８０１−Ｂ」ポジショニングプロトコル規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）ポジショニングプロトコル規格に準拠するおよび／あるいはそれを用いて動作可能な要求要素および／または応答要素を含み得る。
【００２４】
他の例示的な実装形態では、支援データ要素は、関連するＴｈｉｒｄ−Ｇｅｎｅｒａｔｉｏｎ  Ｐａｒｔｎｅｒｓｈｉｐ  Ｐｒｏｊｅｃｔ（３ＧＰＰ）ポジショニングプロトコル規格に準拠するおよび／あるいはそれとともに動作可能な無線リソースＬＣＳプロトコル（ＲＲＬＰ）位置測定要求または支援データ配信メッセージ中に含まれる。
【００２５】
他の例示的な実装形態では、支援データ要素は、関連するＴｈｉｒｄ−Ｇｅｎｅｒａｔｉｏｎ  Ｐａｒｔｎｅｒｓｈｉｐ  Ｐｒｏｊｅｃｔ（３ＧＰＰ）プロトコル規格に準拠するおよび／あるいはそれとともに動作可能な無線リソース制御（ＲＲＣ）測定制御メッセージまたは支援データ配信メッセージ中に含めることができる。
【００２６】
たとえば、ＣＤＭＡ２０００およびＨｉｇｈ  Ｒａｔｅ  Ｐａｃｋｅｔ  Ｄａｔａ（ＨＲＰＤ）ワイヤレス通信ネットワークにおいて使用するためのポジショニングプロトコルが開発され、規格化されている。１つの例示的なポジショニングプロトコルは、しばしば、その規格化識別情報によって、ＴＩＡ公開規格では「ＩＳ−８０１」（または３ＧＰＰ２公開規格では「Ｃ．Ｓ００２２」）と呼ばれる。現在、この例示的なポジショニングプロトコルの２つのバージョンがある。第１のバージョンは、本明細書では単にＩＳ−８０１−１と呼ぶ、初期バージョンＩＳ−８０１バージョン１（またはＣ．Ｓ００２２−０バージョン３．０）である。第２のバージョンは、本明細書では単にＩＳ−８０１−Ａと呼ぶ、ＩＳ−８０１バージョンＡ（またはＣ．Ｓ００２２−Ａバージョン１．０）である。（たとえば、おそらくＩＳ−８０１バージョンＢ（またはＣ．Ｓ００２２−Ｂバージョン１．０）、および／または他の同様の識別子として）ＴＩＡおよび／または３ＧＰＰ２によって何らかの方法で、何らかの形態のＩＳ−８０１−Ｂがすぐに確定され、識別されることが予想される。
【００２７】
たとえば、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））ネットワーク、Ｇｅｎｅｒａｌ  Ｐａｃｋｅｔ  Ｒａｄｉｏ  Ｓｅｒｖｉｃｅ（ＧＰＲＳ）ネットワーク、Ｅｎｈａｎｃｅｄ  Ｄａｔａ  Ｒａｔｅｓ  ｆｏｒ  ＧＳＭ（登録商標）  Ｅｖｏｌｕｔｉｏｎ（ＥＤＧＥ）ネットワーク、またはＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）ネットワークにおいて使用するためのポジショニングプロトコルも開発され、規格化されている。前述のネットワークにおいて使用するために規格化されたポジショニングプロトコルは、しばしば、無線リソースＬＣＳプロトコル（ＲＲＬＰ）または無線リソース制御（ＲＲＣ）プロトコルと呼ばれる。これらのプロトコルバージョンについて、いくつかのリリースが存在し、現在利用可能なリリースはＲｅｌｅａｓｅ−７である。Ｔｈｉｒｄ−Ｇｅｎｅｒａｔｉｏｎ  Ｐａｒｔｎｅｒｓｈｉｐ  Ｐｒｏｊｅｃｔによって何らかの形態のＲｅｌｅａｓｅ−８がすぐに確定されることが予想される。
【００２８】
ＩＳ−８０１−Ａ、ＲＲＬＰまたはＲＲＣなど、既存のプロトコルにおいてＧＰＳ関係支援データを共有するための何らかのサポートがある。本明細書のいくつかの態様によれば、他のＳＰＳ（たとえば、ＧＮＳＳ）の可用度が増加するとすれば、ＩＳ−８０１−Ｂ、またはＲＲＬＰおよびＲＲＣの新しいＲｅｌｅａｓｅ、および／または複数の異なるＳＰＳ関係支援データをサポートすることができる他のポジショニングプロトコルバージョンなど、より高度な／ロバストなポジショニングプロトコルバージョンを開発することが有利なことがある。
【００２９】
既存のロケーションプロトコル中の既存のＧＰＳ関係支援データと比較して、近代化ＧＰＳまたはＱｕａｓｉ−Ｚｅｎｉｔｈ  Ｓａｔｅｌｌｉｔｅ  Ｓｙｓｔｅｍ（ＱＺＳＳ）など、新しいＳＰＳは、複数のフォーマットで同じまたは同様のナビゲーションメッセージデータをネイティブにサポートすることができる。たとえば、近代化ＧＰＳまたはＱＺＳＳのインターフェース管理文書（ＩＣＤ）に指定されているように、近代化ＧＰＳまたはＱＺＳＳによって提供されるＡｌｍａｎａｃデータは、Ｎａｖｉｇａｔｉｏｎ（ＮＡＶ）Ａｌｍａｎａｃフォーマット、Ｍｉｄｉ  Ａｌｍａｎａｃフォーマット、またはＲｅｄｕｃｅｄ  Ａｌｍａｎａｃフォーマットであり得る。同様に、衛星エフェメリスデータおよびクロック補正データは、ＮＡＶフォーマット、Ｃｉｖｉｌ  Ｎａｖｉｇａｔｉｏｎ（ＣＮＡＶ）フォーマット、またはＣｉｖｉｌ  Ｎａｖｉｇａｔｉｏｎ−２（ＣＮＡＶ−２）フォーマットであり得る。同様に、Ｕｎｉｖｅｒｓａｌ  Ｃｏｏｒｄｉｎａｔｅｄ  Ｔｉｍｅ（ＵＴＣ）モデルデータは、ＮＡＶフォーマット、Ｃｉｖｉｌ  Ｎａｖｉｇａｔｉｏｎ（ＣＮＡＶ）フォーマット、またはＣｉｖｉｌ  Ｎａｖｉｇａｔｉｏｎ−２（ＣＮＡＶ−２）フォーマットであり得る。したがって、たとえば、エフェメリスデータ、アルマナックデータ、または他のＳＰＳ関係支援データに対する要求は、もはや明瞭ではなくなるが、これは、それらの情報をあるポジショニングプロトコル内の応答メッセージ中でデバイスに提供することができる様々な異なる可能なネイティブフォーマットがあるからである。
【００３０】
その上、本明細書のいくつかの態様によれば、新しいＳＰＳの可用度により、非ネイティブフォーマットで支援データを提供する可能性がある。たとえば、デバイスがＧＰＳおよびＧＬＯＮＡＳＳをサポートする場合、デバイスは、ＧＰＳおよびＧＬＯＮＡＳＳに対してネイティブな支援データフォーマットをサポートすることができるが、ＧＬＯＮＡＳＳにおいて使用するための（すなわち、ＧＬＯＮＡＳＳに対して非ネイティブな）ＧＰＳ固有フォーマットをサポートすることも可能である。
【００３１】
本明細書の一態様では、移動局は、各ＳＰＳについてどの特定の非ネイティブフォーマットまたはフォーマットの組合せがサポートされるかを示すことが可能である。新しいＳＰＳの可用度の増加により、多くの様々な新しいナビゲーションメッセージフォーマットが利用可能になり、したがって、多くの非ネイティブの組合せも可能になる。移動局はフォーマットのすべての可能な組合せをサポートすることができないので、移動局が使用することができないフォーマットで支援データを提供しないように、各ＳＰＳについて移動局がどのフォーマットをサポートすることができるのかをネットワークリソース（たとえば、ＰＤＥ、ＳＭＬＣ、ＳＬＰなど）がアプリオリに知っていれば有利である。
【００３２】
さらに、様々な使用可能デバイスが通信チャネル／リンクを介して位置決定通信セッションを開始および確立することができ、それにより、いくつかのそのような潜在的に変化するタイプの支援データを効率的な方法で要求および／または提供することができるように、必要に応じて、ワイヤレスネットワーク内でポジショニングプロトコルバージョンネゴシエーションプロセスを採用することができることも認識される。
【００３３】
限定ではなく例として、本明細書に記載するいくつかの方法および装置は、ＩＳ−８０１−Ｂだけでなくレガシーおよび／または将来バージョンをもサポートする様式で１つまたは複数のトランスポートメッセージ中に提供される１つまたは複数のＰＤＤＭなどを使用することができる。さらに、いくつかの方法および装置は、たとえば、Ｕｌｔｒａ  Ｍｏｂｉｌｅ  Ｂｒｏａｄｂａｎｄ（ＵＭＢ）ネットワーク、Ｈｉｇｈ  Ｒａｔｅ  Ｐａｃｋｅｔ  Ｄａｔａ（ＨＲＰＤ）ネットワーク、ＣＤＭＡ２０００  １Ｘネットワークなど、様々なワイヤレス通信ネットワークにおいてロケーションポジショニングプロセスをサポートすることが可能である。
【００３４】
本明細書のいくつかの態様によれば、位置決定プロセスをサポートするために第２のデバイスと通信することが可能である第１のデバイス中に実装される様々な方法および装置を提供する。限定ではなく例として、第１のデバイスおよび／または第２のデバイスは、移動局、あるいは基地局、ロケーションサーバ（たとえば、位置決定エンティティ（ＰＤＥ）、サービングモバイルロケーションセンター（ＳＭＬＣ）、ゲートウェイモバイルロケーションセンター（ＧＭＬＣ）、スタンドアロンＡＧＰＳ  ＳＭＬＣ（ＳＡＳ）、ＳＵＰＬロケーションプラットフォーム（ＳＬＰ）など）などの特定の装置を含み得る。たとえば、いくつかの実装形態では、移動局および基地局は、ＣＤＭＡワイヤレス通信ネットワークおよび／または他の適用可能なタイプのワイヤレス通信ネットワーク内で通信することが実効的に可能である。
【００３５】
方法および装置は、そのようなデバイスが位置決定プロセスに関連する位置決定通信セッションを利用できるようにするためにデバイス中に実装できる。位置決定通信セッションは、関与するデバイスの機能に応じて、ネゴシエートされたポジショニングプロトコルバージョンを利用することができる。したがって、本方法および装置は、ネットワーク内の様々なポジショニングプロトコルバージョンに対応できるように実装される。たとえば、本方法および装置は、ネットワーク内の様々なポジショニングプロトコルバージョン間の後方互換性および／または前方互換性に対応することも、あるいはこれをサポートすることも可能である。
【００３６】
以下の詳細な説明では、請求する主題の完全な理解を与えるために多数の具体的な詳細を記載する。ただし、請求する主題は、これらの具体的な詳細なしに実施できることが当業者には理解されよう。他の例では、請求する主題を不明瞭にしないように、当業者には既知であろう方法および装置については詳細に説明していない。
【００３７】
以下の詳細な説明のいくつかの部分は、特定の装置または特殊目的コンピューティングデバイスまたはプラットフォームのメモリ内に記憶される２値デジタル信号に対する演算のアルゴリズムまたは記号表現に関して提示する。この特定の明細書のコンテキストでは、特定の装置などの用語は、プログラムソフトウェアからの命令に従って特定の関数を実行するようにプログラムされた後の汎用コンピュータを含む。アルゴリズムの説明または記号表現は、信号処理または関連技術において当業者が、それらの仕事の本質を他の当業者に伝達するために使用する技法の例である。アルゴリズムは、本明細書では、また一般に、所望の結果をもたらす自己無撞着な一連の演算または同様の信号処理であると考えられる。このコンテキストでは、演算または処理は物理量の物理操作に関係する。必ずしもそうとは限らないが、一般に、そのような量は、格納、転送、組合せ、比較、または他の操作が可能な、電気信号または磁気信号の形態をとる。主に一般的な用法という理由で、そのような信号をビット、データ、値、要素、記号、文字、項、数、数字、情報などと呼ぶことは時々便利であることがわかっている。ただし、これらおよび同様の用語はすべて、適切な物理量に関連すべきものであり、便利なラベルにすぎないことを理解されたい。別段に明記されていない限り、以下の説明から明らかなように、本明細書全体にわたって、「処理する」、「算出する」、「計算する」、「決定する」などの用語を利用する説明は、専用コンピュータまたは同様の専用電子コンピューティングなど、特定の装置のアクションまたはプロセスを指すことを諒解されたい。したがって、本明細書のコンテキストで、専用コンピュータまたは同様の専用電子コンピューティングデバイスは、専用コンピュータまたは同様の専用電子コンピューティングデバイスのメモリ、レジスタ、または他の情報記憶デバイス、送信デバイス、あるいは専用コンピュータまたは同様の専用電子コンピューティングデバイスのディスプレイデバイス内の電子的または磁気的な物理量として一般に表される信号を操作または変換することが可能である。この特定の特許明細書のコンテキストでは、「特定の装置」という用語は、プログラムソフトウェアからの命令に従って特定の関数を実行するようにプログラムされた汎用コンピュータを含むことができる。
【００３８】
次に図１に注目すると、図１は、デバイスが互いに通信し、位置決定プロセスを開始および／あるいはサポートすることが可能である、例示的なワイヤレス通信ネットワーク環境１００を示す概略ブロック図である。
【００３９】
この特定の例では、ワイヤレス通信ネットワーク環境１００は、移動局（ＭＳ）１０２、１つまたは複数の基地局（ＢＳ）１０４、１つまたは複数の衛星測位システム（ＳＰＳ）１０６、ネットワーク１０８、およびロケーションサーバ１１０など、代表的なデバイスを含む。ＭＳ１０２は、１つまたは複数のワイヤレス通信リンクを介してＢＳ１０４と通信することが可能である。ＭＳ１０２、ＢＳ１０４またはロケーションサーバ１１０の１つまたは複数は、ＳＰＳ１０６の様々な送信リソースによって送信されるＳＰＳ信号を収集することが可能であり、および／あるいはＳＰＳ１０６を介して利用可能な情報に関連するいくつかの位置決定プロセスをサポートすることが可能である。
【００４０】
図１中の代表的なデバイスは、ワイヤレス通信リンクまたは有線通信リンクのいずれかによって結合されるものとして示されているが、いくつかの例示的な実装形態では、少なくともいくつかのデバイスは、１つまたは複数の有線、ファイバおよび／またはワイヤレス通信リンクを介して互いに結合できることを理解されたい。
【００４１】
別段に明記されていない限り、本明細書で使用する、「ロケーションサーバ」という用語は、そのような位置決定プロセスを少なくとも部分的にサポートすることが可能である、１つまたは複数のデバイスおよび／または１つまたは複数の特定の装置を本明細書中で表すものである。したがって、図１に示した例では、ネットワーク１０８および／またはＢＳ１０４を介してＭＳ１０２と通信することができる個別のデバイスとして示されているが、他の実装形態では、「ロケーションサーバ」は１つまたは複数の有線および／または１つまたは複数のワイヤレス通信リンクを使用して直接および／または間接的にＭＳ１０２と通信することが可能であることを理解されたい。したがって、いくつかの例示的な実装形態では、ロケーションサーバは、１つまたは複数のワイヤレス送信機、受信機、トランシーバ、１つまたは複数の基地局、様々な有線および／またはワイヤレスネットワークリソース、特定の装置として使用可能である１つまたは複数のコンピューティングデバイス、および／または他の同様のコンピューティングおよび／または通信デバイスの形態をとる、および／あるいはそれらを動作可能に備えることができる。このことを念頭に置いて、基地局（ＢＳ）またはＢＳ１０４に例示的に言及する場合、そのようなＢＳおよび／またはＢＳ１０４は、本明細書で広義に定義される「ロケーションサーバ」を備えることができることを理解されたい。したがって、基地局（ＢＳ）およびロケーションサーバという用語は互換的に使用される。さらに、ＢＳ機能などを要求および／または提供するメッセージにおいて、そのような要求された情報および／または与えられた情報をロケーションサーバ機能などに関連付けることができることを理解されたい。
【００４２】
ＭＳ１０２および／またはＢＳ１０４は、たとえば、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）など、様々なワイヤレス通信ネットワークを使用することによって機能を与えることが可能である。「ネットワーク」および「システム」という用語は、しばしば互換的に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどであり得る。ＣＤＭＡネットワークは、ＣＤＭＡ２０００、Ｗｉｄｅｂａｎｄ−ＣＤＭＡ（Ｗ−ＣＤＭＡ）などの１つまたは複数の無線アクセス技術（ＲＡＴ）を実装することができる。ＣＤＭＡ２０００は、ＩＳ−９５、ＩＳ−２０００、およびＩＳ−８５６規格を含む。ＴＤＭＡネットワークは、Ｇｌｏｂａｌ  Ｓｙｓｔｅｍ  ｆｏｒ  Ｃｏｍｍｕｎｉｃａｔｉｏｎｓ（ＧＳＭ（登録商標））、Ｄｉｇｉｔａｌ  Ａｄｖａｎｃｅｄ  Ｐｈｏｎｅ  Ｓｙｓｔｅｍ（Ｄ−ＡＭＰＳ）、または何らかの他のＲＡＴを実装することができる。ＯＦＤＭＡネットワークは、Ｌｏｎｇ  Ｔｅｒｍ  Ｅｖｏｌｕｔｉｏｎ（ＬＴＥ）を実装することができる。ＧＳＭ（登録商標）、Ｗ−ＣＤＭＡおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の組織からの文書に記載されている。３ＧＰＰおよび３ＧＰＰ２の文書は公に入手可能である。ＷＬＡＮは、ＩＥＥＥ８０２．１１ｘネットワークでよく、ＷＰＡＮは、Ｂｌｕｅｔｏｏｔｈ（登録商標）ネットワーク、ＩＥＥＥ８０２．１５ｘネットワーク、または他の何らかのタイプのネットワークであってもよい。また、これらの技術をＷＷＡＮ、ＷＬＡＮおよび／またはＷＰＡＮの任意の組合せに関して使用することもできる。上述のように、ＵＭＢネットワーク、ＨＲＰＤネットワーク、ＣＤＭＡ２０００  １Ｘネットワーク、ＧＳＭ（登録商標）、ＷＣＤＭＡ（登録商標）、ＬＴＥなどとともに使用するための技法を実装することができる。
【００４３】
ＳＰＳ１０６は、たとえば、本明細書でそれぞれ「衛星測位システム」（ＳＰＳ）と概括的に呼ばれる、Ｇｌｏｂａｌ  Ｐｏｓｉｔｉｏｎｉｎｇ  Ｓｙｓｔｅｍ（ＧＰＳ）、近代化ＧＰＳ、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）（Ｗｉｄｅ  Ａｒｅａ  Ａｕｇｍｅｎｔａｔｉｏｎ  Ｓｙｓｔｅｍ（ＷＡＡＳ）、Ｅｕｒｏｐｅａｎ  Ｇｅｏｓｔａｔｉｏｎａｒｙ  Ｏｖｅｒｌａｙ  Ｓｅｒｖｉｃｅ（ＥＧＮＯＳ）、Ｍｕｌｔｉ−ｆｕｎｃｔｉｏｎａｌ  Ｓａｔｅｌｌｉｔｅ  Ａｕｇｍｅｎｔａｔｉｏｎ  Ｓｙｓｔｅｍ（ＭＳＡＳ）、ＧＰＳ  Ａｉｄｅｄ  Ｇｅｏ  Ａｕｇｍｅｎｔｅｄ  Ｎａｖｉｇａｔｉｏｎ（ＧＡＧＡＮ）など）、Ｑｕａｓｉ−Ｚｅｎｉｔｈ  Ｓａｔｅｌｌｉｔｅ  Ｓｙｓｔｅｍ（ＱＺＳＳ）、Ｃｏｍｐａｓｓ／ＢｅｉＤｏｕ、Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ（ＩＲＮＳＳ）、ＮＡＶＳＴＡＲ、および／または他の同様のＧＮＳＳ、これらのシステムの組合せからの衛星を使用するシステム、または将来開発されるＳＰＳのうちの１つまたは複数を含む。
【００４４】
さらに、本明細書で説明する方法および装置は、スードライト、または衛星とスードライトとの組合せを利用する位置決定プロセスで使用できる。スードライトは、ＳＰＳ時刻と同期できる、ＰＮコード、またはＬ帯（または他の周波数）搬送信号上で変調された他のレンジングコード（たとえば、ＧＰＳまたはＣＤＭＡセルラー信号に類似した）をブロードキャストする地上ベースの送信機を含むことができる。そのような送信機それぞれに、遠隔受信機による識別を許すように一意のＰＮコードを割り当てることができる。たとえば、スードライトは、トンネルの中、鉱山内、建築物の中、都市ビルの谷間または他の閉じられた区域内などの、軌道を回る衛星からの一部のＳＰＳ信号が利用できないことがある状況においてＳＰＳを補強するために使用できる。スードライトの別の実装形態は無線ビーコンとして知られている。本明細書で使用する「衛星」という用語は、スードライト、スードライトの同等物、および場合によっては他のものを含むものとする。本明細書で使用する「ＳＰＳ信号」という用語は、スードライトまたはスードライトの同等物からのＳＰＳ様の信号を含むものとする。
【００４５】
ＭＳ１０２は、いくつかの例示的な実装形態では、セルラーまたは他のワイヤレス通信デバイス、パーソナル通信システム（ＰＣＳ）デバイス、パーソナルナビゲーションデバイス、車載ナビゲーションデバイス、トラッキングデバイス、個人情報マネージャ（ＰＩＭ）、携帯情報端末（ＰＤＡ）、ラップトップ、またはワイヤレス通信を受信することが可能な他の適切なデバイスなどのデバイスを含むことができる。
【００４６】
本明細書で説明する方法は、適用例に応じて様々な手段によって実装できる。たとえば、これらの方法は、ハードウェア、ファームウェア、ソフトウェア、またはそれらの組合せで実装できる。ハードウェア実装の場合、１つまたは複数の処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実行するように設計された他の電子ユニット、またはそれらの組合せの中で実装できる。
【００４７】
ファームウェアおよび／またはソフトウェア実装の場合、いくつかの方法は、本明細書で説明する機能を実行するモジュール（たとえば、手順、機能など）を用いて実装できる。命令を有形に実施するいずれの機械可読媒体も、本明細書で説明する方法の実装において使用できる。たとえば、ソフトウェアコードは、ＭＳ１０２および／またはＢＳ１０４のメモリに記憶され、デバイスの処理ユニットによって実行される。メモリは、処理ユニット内および／または処理ユニットの外部に実装できる。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。
【００４８】
ソフトウェアで実装した場合、方法またはその部分を実装する機能は、１つまたは複数の命令またはコードとしてコンピュータ可読媒体に記憶、および／またはコンピュータ可読媒体上で送信できる。コンピュータ可読媒体は製造品の形態をとることができる。コンピュータ可読媒体は、コンピュータ記憶媒体、および／またはある場所から別の場所へのコンピュータプログラムの転送を可能にするいかなる媒体をも含む通信媒体を含むことができる。記憶媒体は、コンピュータまたは同様のデバイスによってアクセスされる任意の利用可能な媒体であり得る。限定ではなく例として、コンピュータ可読媒体は、ＲＡＭ、ＲＯＭ、ＥＥＰＲＯＭ、ＣＤ−ＲＯＭまたは他の光学ディスク記憶装置、磁気ディスク記憶デバイスまたは他の磁気記憶デバイス、あるいは命令またはデータ構造の形態で所望のプログラムコードを担持または記憶するために使用でき、コンピュータによってアクセスできる任意の他の媒体を備えることができる。
【００４９】
本明細書で言及する「命令」は、１つまたは複数の論理的動作を表す表現に関する。たとえば、命令は、１つまたは複数のデータオブジェクトに対して１つまたは複数の動作を実行するためにマシンによって解釈可能であることによって、「機械可読」である。ただし、これは命令の例にすぎず、請求する主題はこの点について限定されない。別の例では、本明細書で言及する命令は、符号化コマンドを含むコマンドセットを有する処理ユニットによって実行可能である符号化コマンドに関する。そのような命令は、処理ユニットによって理解される機械語の形態で符号化できる。この場合も、これらは命令の例にすぎず、請求する主題はこの点について限定されない。
【００５０】
次に図２を参照すると、図２は、位置決定プロセスを開始および／あるいはサポートすることが可能である特定の装置２００のいくつかの例示的な特徴を示す概略ブロック図である。たとえば、装置２００は、適用可能な場合に、本明細書で説明する例示的な技法の少なくとも一部分を実行あるいはサポートするために、ＭＳ１０２、ＢＳ１０４、ロケーションサーバ１１０、および／または他の同様のデバイス内に何らかの形態で実装できる。
【００５１】
たとえば、装置２００は、１つまたは複数の処理ユニット２０２と、メモリ２０４と、トランシーバ２１０と、（随意に）ＳＰＳ受信機２４０とを含み、それらは１つまたは複数の接続２０６（たとえば、バス、回線、ファイバ、リンクなど）と動作可能に結合され得る。いくつかの例示的な実装形態では、装置２００は、チップセットなどの形態をとることができる。
【００５２】
処理ユニット２０２は、ハードウェア、ソフトウェア、またはハードウェアとソフトウェアの組合せで実装できる。したがって、たとえば、処理ユニット２０２は、デバイス２００の動作に関するデータコンピューティング手順またはプロセスの少なくとも一部分を実行するように構成可能な１つまたは複数の回路を表すことができる。限定ではなく例として、処理ユニット２０２は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含むことができる。
【００５３】
メモリ２０４は、任意のデータ記憶機構を表す。たとえば、メモリ２０４は、一次メモリおよび／または二次メモリを含み得る。たとえば、一次メモリは、ランダムアクセスメモリ、読取り専用メモリなどを含み得る。この例では処理ユニット２０２とは別個として示されているが、一次メモリの全部または一部を、処理ユニット２０２内に設ける、あるいは処理ユニット２０２と共設／結合することができることを理解されたい。たとえば、二次メモリは、一次メモリ、および／または１つまたは複数のデータ記憶デバイスまたはシステム、たとえば、ディスクドライブ、光ディスクドライブ、テープドライブ、固体メモリドライブなどと同じまたは同様のタイプのメモリを含み得る。
【００５４】
いくつかの実装形態では、二次メモリは、コンピュータ可読媒体２２０を動作可能に受容するか、あるいはそれに結合するように構成可能である。したがって、いくつかの例示的な実装形態では、本明細書で提示する方法および／または装置は、少なくとも１つの処理ユニット２０２によって実行されると、本明細書で説明する例示的な動作の全部または一部を実行することが実効的に可能である、その上に記憶されたコンピュータ実施可能命令２０８を含むことができる、コンピュータ可読媒体２２０の形態を全部または一部がとることができる。
【００５５】
図２に示すように、メモリ２０４は、１つまたは複数のポジショニングプロトコルバージョン２３０、特定のＳＰＳ関係ＰＤＤＭ２３２（たとえば、または支援データＩＥなど）、「汎用」ＳＰＳ関係ＰＤＤＭ２３４（たとえば、または支援データＩＥなど）、および／またはＳＰＳ関係支援データ２４２に関連する命令および／またはデータをも含むことができる。図示のように、ＳＰＳ関係支援データ２４２の全部または一部をＳＰＳ受信機２４０内に提供すること、あるいはＳＰＳ受信機２４０によって何らかの方法で処理することもできる。ＳＰＳ受信機２４０は、１つまたは複数のＳＰＳに関連する電磁信号を受信することが可能である。
【００５６】
トランシーバ２１０は、たとえば、１つまたは複数のワイヤレス通信リンクを介して１つまたは複数の電磁信号を送信することが可能である送信機２１２と、１つまたは複数のワイヤレス通信リンクを介して送信される１つまたは複数の信号を受信するための受信機２１４とを含む。いくつかの実装形態では、トランシーバ２１０はまた、たとえば、ＢＳ１０４および／または他の同様のデバイス内で実装されたとき、有線送信および／または受信をサポートする。
【００５７】
次に図３に注目すると、図３は、位置決定プロセスをサポートするために、より詳細には、デバイスがＳＰＳ関係支援データを要求および提供するのをサポートするためにワイヤレス通信ネットワーク環境１００中で実装される例示的な方法を示す流れ図である。
【００５８】
ブロック３０２において、移動局は、支援データが位置決定プロセスをサポートすることが望まれることを識別し得る。たとえば、移動局は、ＳＰＳに関連するエフェメリスデータおよび／または他のデータがなくなっている、不正確である、満了しているなどのことを決定し得る。移動局はさらに、特定の（なくなっている）支援データ（たとえば、エフェメリスデータおよびクロック補正データ）が特定のＳＰＳに対して複数のフォーマットでサポートされることを識別し得る。たとえば、ＧＰＳまたはＱＺＳＳエフェメリスは、ＮＡＶ、ＣＮＡＶ、またはＣＮＡＶ−２フォーマットでサポートされ、Ａｌｍａｎａｃデータは、ＮＡＶ  Ａｌｍａｎａｃ、Ｒｅｄｕｃｅｄ  ＡｌｍａｎａｃフォーマットまたはＭｉｄｉ  Ａｌｍａｎａｃフォーマットでサポートされ得る。移動局は、これらのフォーマットのうちの１つのみが望まれるか、または複数のフォーマットが望まれることを決定し得る。
【００５９】
ブロック３０４において、移動局は、ワイヤレス通信リンクを介した少なくとも１つのネットワークリソース（たとえば、基地局、ロケーションサーバ、ＰＤＥなど）への少なくとも１つのメッセージ（たとえば、ＰＤＤＭ）の送信を開始し得る。１つまたは複数のメッセージは、ブロック３０２において識別された所望の支援データの全部または一部を要求し得る。１つまたは複数のメッセージはまた、所望の支援データが２つ以上のフォーマットで利用可能である場合、そのような支援データが１つまたは複数の特定のフォーマットで提供されることを要求し得る。
【００６０】
たとえば、移動局は、データがどのナビゲーションメッセージフォーマットで望まれるのかを示す「ナビゲーションメッセージタイプ」指示フィールドをメッセージ中に含めることができる。例示的な実装形態では、そのようなことは、各ナビゲーションメッセージタイプについてビット位置をもつビットマップを定義することによって行うことができる。たとえば、ビットマップ中のビット１はＮＡＶフォーマットに割り当てられ、ビット２はＣＮＡＶフォーマットに割り当てられ、ビット３はＣＮＡＶ−２フォーマットに割り当てられ得る。移動局は、この特定のフォーマットが望まれることを示すために対応するビットを値１（「真」）に設定し、この特定のフォーマットが望まれないまたは必要とされないことを示すために他のビットを値０（「偽」）に設定することができる。
【００６１】
ブロック３０６において、少なくとも１つのネットワークリソースは、ブロック３０２において送信された１つまたは複数のメッセージの全部または一部を受信し得る。ここで、１つまたは複数の受信されたメッセージは、所望の支援データの全部または一部が提供されることと、そのような支援データが２つ以上のフォーマットで利用可能である場合、少なくとも１つの所望のフォーマットとを要求する。
【００６２】
ブロック３０８において、少なくとも１つのネットワークリソースは、少なくとも１つのＳＰＳに関連する所望の支援データの全部または一部を受信し、および／あるいはそれに動作可能にアクセスする。
【００６３】
ブロック３１０において、少なくとも１つのネットワークリソースは、ワイヤレス通信リンクを介した少なくとも移動局への少なくとも１つのメッセージ（たとえば、ＰＤＤＭ）の送信を開始する。１つまたは複数のメッセージは、最初にブロック３０２において移動局によって識別され、次いでブロック３０６においてネットワークリソースによって識別された、および／またはブロック３０８において受信／アクセスされた所望の支援データの全部または一部を提供する。ここで、１つまたは複数のメッセージはまた、所望の支援データが様々なフォーマットで利用可能である場合、そのような支援データを要求された特定のフォーマットで提供する。いくつかの実装形態では、特定のフォーマットは、たとえば、ＳＰＳによって提供されたネイティブフォーマットである支援データを含むことができる。いくつかの実装形態では、特定のフォーマットは、非ネイティブフォーマット、たとえば、ＳＰＳによって提供されないフォーマットである支援データを含むことができる。
【００６４】
限定ではなくさらなる例として、本明細書に記載する例示的な方法および装置は、支援ＳＰＳ／ＧＮＳＳロケーションプロセスをサポートするポジショニングプロトコルバージョンを使用してエフェメリスデータおよびアルマナックデータなどの支援データをワイヤレスネットワーク内で要求および／または提供することを可能にする。前述のように、ＩＳ−８０１−Ａ、ＲＲＬＰ、またはＲＲＣなどの現在のロケーションプロトコルでは、ロケーションサーバは、移動局（ワイヤレスデバイス、スマートフォン、またはセルラー電話など）にエフェメリスデータおよびアルマナックデータを送信することができるが、ＧＰＳコンスタレーション用に限られる。他のＳＰＳ／ＧＮＳＳコンスタレーションは、既に利用可能である（たとえば、ＧＬＯＮＡＳＳ、ＳＢＡＳ（Ｓａｔｅｌｌｉｔｅ  Ｂａｓｅｄ  Ａｕｇｍｅｎｔａｔｉｏｎ  Ｓｙｓｔｅｍ））か、あるいは、近い将来に利用可能になることが予想される（たとえば、ＱＺＳＳ（Ｑｕａｓｉ−Ｚｅｎｉｔｈ  Ｓａｔｅｌｌｉｔｅ  Ｓｙｓｔｅｍ））などである。さらに、ＧＰＳは近代化されることが予想され、新しいエフェメリスおよびアルマナックデータフォーマットも予想される。
【００６５】
本明細書に記載する方法および装置は、たとえば、そのような変化するタイプ／フォーマットの支援データをワイヤレスネットワーク通信リンクを介して要求および／または提供することができるように実装できる。
【００６６】
１つの潜在的な利益は、ネゴシエートされたポジショニングプロトコルバージョンが複数の異なるデバイス、ＳＰＳ、支援データなどをサポートすることができることである。別の潜在的な利益は、いくつかのポジショニングプロトコルバージョンが様々な異なるタイプのメッセージ（たとえば、ＰＤＤＭ）をサポートすることができること、および／または複数の異なるタイプのＳＰＳ、支援データなどとともに使用することが選択的に可能である（１つまたは複数の）汎用メッセージの使用をサポートすることができることである。さらに別の潜在的な利益は、そのような支援データのフォーマットをＳＰＳに対してネイティブまたは非ネイティブであり得、したがって移動局および／または（１つまたは複数の）ネットワークリソースにおいて動作効率を高めることができることである。たとえば、移動局が、ＳＰＳからネイティブフォーマット化された支援データを受信することが実効的に可能である場合、ワイヤレスネットワークを介してそのような支援データをネイティブフォーマットで受信することにより、移動局がサポートすることができる処理量を低減することができる。他の例示的な実装形態では、たとえば、特定のＳＰＳがあるタイプのモデルデータをサポートしない場合、支援データを非ネイティブフォーマットで移動局に提供することによるさらなる利点がある。たとえば、電離層効果のモデルデータを提供しない現在のＧＬＯＮＡＳＳ  ＳＰＳの場合である。ＧＰＳまたはＧａｌｉｌｅｏ電離層モデルデータはＧＬＯＮＡＳＳ  ＳＰＳに対して「非ネイティブ」であるので、ＧＬＯＮＡＳＳに対してＧＰＳまたはＧａｌｉｌｅｏ、あるいは他のＳＰＳモデルデータを使用することによって、この制限を効果的に克服することができる。したがって、いくつかの例示的な実装形態は、ポジショニングプロトコルバージョン内でのサポート、および／または様々な支援データフォーマットに対する関連する位置決定プロセスを提供することができる。
【００６７】
次に図４に注目すると、図４は、位置決定プロセスをサポートするためにワイヤレス通信ネットワーク環境１００中で実装されるさらに別の例示的な方法を示す流れ図である。
【００６８】
ブロック４０２において、ネットワークリソースは、位置決定プロセスが移動局の位置を特定することが望まれることを決定し得る。ブロック４０４において、ネットワークリソースは、移動局がどの特定の１つまたは複数のＳＰＳをサポートするかを決定し得る。この情報は、たとえば、ロケーション要求の前、たとえば、ネットワークにおける登録中などに１つまたは複数の移動局機能メッセージまたは他の同様のメッセージを介して移動局によって提供され得る。いくつかの実装形態では、この情報は、ネットワーク内で加入者データベースなどに記憶され得る。
【００６９】
ブロック４０６において、ネットワークリソースは、支援データをロケーション要求または支援データ配信メッセージ中で移動局に提供すべきことを決定し得る。たとえば、いくつかの実装形態では、支援データは、所与の時間（たとえば、現時間）に移動局に対して粗いロケーション推定値において可視な衛星を示すことができる。
【００７０】
ブロック４０８において、ネットワークリソースは、そのような支援データが、ＮＡＶ、ＣＮＡＶ、またはＣＮＡＶ−２などのフォーマットなど、１つまたは複数のネイティブフォーマット、および／または１つまたは複数の非ネイティブフォーマットで利用可能かどうかを決定し得る。
【００７１】
同じ支援データの１つまたは複数の非ネイティブフォーマットが利用可能である場合、ブロック４０８において、ネットワークリソースは、この特定の支援データ要素および／またはＳＰＳについてどのフォーマットまたはフォーマット選択が移動局によってサポートされるかを決定し得る。決定を行うための情報は、たとえば、ＲＲＬＰ位置機能要求／応答メッセージなど、ロケーション要求の前に１つまたは複数の移動局機能メッセージ中で移動局によって提供され得る。
【００７２】
同じ支援データの複数のネイティブフォーマットが利用可能である場合、ブロック４０８において、ネットワークリソースは、どのネイティブフォーマット選択を移動局に提供すべきかを決定し得る。この決定は、たとえば、ＲＲＬＰ位置機能要求／応答メッセージなど、ロケーション要求の前に１つまたは複数の移動局機能メッセージ中で移動局によって提供される情報に基づき、および／またはいくつかのあらかじめ定義されたデフォルトの支援データフォーマットに基づき得る。
【００７３】
同じ支援データの複数のフォーマットが利用可能でない場合、ブロック４０８において、ネットワークリソースは、ネイティブフォーマット化された支援データを提供すべきかを決定し得る。大部分の実装形態では、移動局は、たとえば、非支援のスタンドアロン動作モードをサポートするために、各サポートＳＰＳについて適用ネイティフォーマット支援データを少なくとも受容することが予想される。
【００７４】
ブロック４１０、４１２、または４１４のうちの１つにおいて、適用可能なフォーマット化された支援データを選択する。ブロック４１６において、ネットワークリソースは、移動局へのワイヤレス通信リンクを介した少なくとも１つのメッセージ（たとえば、ＰＤＤＭ、ＲＲＬＰ位置測定要求、ＲＲＬＰ支援データ配信、ＲＲＣ測定制御、ＲＲＣ支援データ配信など）の送信を開始する。
【００７５】
次に図５に注目すると、図５は、ワイヤレス通信ネットワーク環境１００内でいくつかの例示的なメッセージ中で提供される情報および／またはデータフィールドの一部を例示的に示すブロック図である。前述のように、ポジショニングプロトコルバージョンの一部として、移動局（ＭＳ）、基地局（ＢＳ）および／または他のネットワークリソースは、たとえば、１つまたは複数のトランスポートレイヤメッセージ５０２を介して１つまたは複数のＰＤＤＭ５０４−１、．．．、５０４−ｎを送信することができる。
【００７６】
図５に示すように、たとえば、ＰＤＤＭ５０４−１は、ポジショニングプロトコルバージョンに従う少なくとも１つの応答要素５２０および／または少なくとも１つの要求要素５３０を含み得る。いくつかの例示的な応答および要求要素が後続セクション中で提示される。
【００７７】
いくつかの例示的な実装形態では、ＰＤＤＭは、ＰＤＤＭ（たとえば、データフィールド５０６）、ＳＰＳ（たとえば、データフィールド５０８）、支援データ（たとえば、データフィールド５１０）、および／または支援データのフォーマット（たとえば、データフィールド５１２）を何らかの方法で識別する（随意）情報を１つまたは複数のデータフィールド中に含むことができる。ＰＤＤＭは、支援データ２４２、および／またはデータ／データ信号の形態の他の情報を含むことができる。
【００７８】
限定ではなく例として、ＩＳ−８０１−Ｂなどのポジショニングプロトコルバージョン中で、ＭＳによって送信される要求要素は、Ｒｅｑｕｅｓｔ  Ｌｏｃａｔｉｏｎ  Ｒｅｓｐｏｎｓｅ、Ｒｅｑｕｅｓｔ  ＢＳ  Ｃａｐａｂｉｌｉｔｉｅｓ、Ｒｅｑｕｅｓｔ  Ｂａｓｅ  Ｓｔａｔｉｏｎ  Ａｌｍａｎａｃ、Ｒｅｑｕｅｓｔ  ＧＰＳ  Ａｃｑｕｉｓｉｔｉｏｎ  Ａｓｓｉｓｔａｎｃｅ、Ｒｅｑｕｅｓｔ  ＧＰＳ  Ｓｅｎｓｉｔｉｖｉｔｙ  Ａｓｓｉｓｔａｎｃｅ、Ｒｅｑｕｅｓｔ  ＧＰＳ  Ｌｏｃａｔｉｏｎ  Ａｓｓｉｓｔａｎｃｅ、Ｒｅｑｕｅｓｔ  ＧＰＳ  Ａｌｍａｎａｃ、Ｒｅｑｕｅｓｔ  ＧＰＳ  Ｅｐｈｅｍｅｒｉｓ、Ｒｅｑｕｅｓｔ  ＧＰＳ  Ｎａｖｉｇａｔｉｏｎ  Ｍｅｓｓａｇｅ  Ｂｉｔｓ、Ｒｅｑｕｅｓｔ  ＧＰＳ  Ａｌｍａｎａｃ  Ｃｏｒｒｅｃｔｉｏｎ、Ｒｅｑｕｅｓｔ  ＧＰＳ  Ｓａｔｅｌｌｉｔｅ  Ｈｅａｌｔｈ  Ｉｎｆｏｒｍａｔｉｏｎ、Ｒｅｑｕｅｓｔ  Ｅｘｔｅｎｄｅｄ  Ｌｏｃａｔｉｏｎ  Ｒｅｓｐｏｎｓｅ、Ｒｅｑｕｅｓｔ  Ｅｘｔｅｎｄｅｄ  ＢＳ  Ｃａｐａｂｉｌｉｔｉｅｓ、Ｒｅｑｕｅｓｔ  Ｅｎｈａｎｃｅｄ  Ｂａｓｅ  Ｓｔａｔｉｏｎ  Ａｌｍａｎａｃ、Ｒｅｑｕｅｓｔ  Ｇｅｎｅｒａｌ  Ａｃｑｕｉｓｉｔｉｏｎ  Ａｓｓｉｓｔａｎｃｅ、Ｒｅｑｕｅｓｔ  Ｅｘｔｅｎｄｅｄ  ＧＰＳ  Ｓｅｎｓｉｔｉｖｉｔｙ  Ａｓｓｉｓｔａｎｃｅ、Ｒｅｑｕｅｓｔ  ＧＰＳ  Ａｌｍａｎａｃ  ｖ１、Ｒｅｑｕｅｓｔ  Ｅｘｔｅｎｄｅｄ  ＧＰＳ  Ｅｐｈｅｍｅｒｉｓ、Ｒｅｑｕｅｓｔ  Ｅｘｔｅｎｄｅｄ  ＧＰＳ  Ｎａｖｉｇａｔｉｏｎ  Ｍｅｓｓａｇｅ  Ｂｉｔｓ、Ｒｅｑｕｅｓｔ  Ｅｘｔｅｎｄｅｄ  ＧＰＳ  Ａｌｍａｎａｃ  Ｃｏｒｒｅｃｔｉｏｎ、Ｒｅｑｕｅｓｔ  Ｅｘｔｅｎｄｅｄ  ＧＰＳ  Ｓａｔｅｌｌｉｔｅ  Ｈｅａｌｔｈ  Ｉｎｆｏｒｍａｔｉｏｎ、Ｒｅｑｕｅｓｔ  ＧＰＳ  Ｃｏａｒｓｅ  Ｌｏｃａｔｉｏｎ  Ａｓｓｉｓｔａｎｃｅ、Ｒｅｑｕｅｓｔ  ＧＰＳ  Ｃｏａｒｓｅ  Ａｃｑｕｉｓｉｔｉｏｎ  Ａｓｓｉｓｔａｎｃｅ、Ｒｅｑｕｅｓｔ  ＤＧＰＳ  Ａｓｓｉｓｔａｎｃｅ、Ｒｅｑｕｅｓｔ  ＧＰＳ  Ｒｅａｌ−Ｔｉｍｅ  Ｉｎｔｅｇｒｉｔｙ  Ｉｎｆｏｒｍａｔｉｏｎ、Ｒｅｑｕｅｓｔ  Ａｄｖａｎｃｅｄ  Ｌｏｃａｔｉｏｎ  Ｒｅｓｐｏｎｓｅ、Ｒｅｑｕｅｓｔ  Ａｄｖａｎｃｅｄ  ＢＳ  Ｃａｐａｂｉｌｉｔｉｅｓ、Ｒｅｑｕｅｓｔ  Ａｄｖａｎｃｅｄ  ＵＭＢ  Ｂａｓｅ  Ｓｔａｔｉｏｎ  Ａｌｍａｎａｃ、Ｒｅｑｕｅｓｔ  Ａｄｖａｎｃｅｄ  ＨＲＰＤ  Ｂａｓｅ  Ｓｔａｔｉｏｎ  Ａｌｍａｎａｃ、Ｒｅｑｕｅｓｔ  Ａｄｖａｎｃｅｄ  １Ｘ  Ｂａｓｅ  Ｓｔａｔｉｏｎ  Ａｌｍａｎａｃ、Ｒｅｑｕｅｓｔ  ＧＮＳＳ  Ａｃｑｕｉｓｉｔｉｏｎ  Ａｓｓｉｓｔａｎｃｅ、Ｒｅｑｕｅｓｔ  ＧＮＳＳ  Ｓｅｎｓｉｔｉｖｉｔｙ  Ａｓｓｉｓｔａｎｃｅ、Ｒｅｑｕｅｓｔ  Ｍｏｄｅｒｎｉｚｅｄ  ＧＰＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＱＺＳＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＧＬＯＮＡＳＳ  Ｅｐｈｅｍｅｒｉｓ  ａｎｄ  Ｃｌｏｃｋ  Ｃｏｒｒｅｃｔｉｏｎ、Ｒｅｑｕｅｓｔ  Ｇａｌｉｌｅｏ  Ｅｐｈｅｍｅｒｉｓ  ａｎｄ  Ｃｌｏｃｋ  Ｃｏｒｒｅｃｔｉｏｎ、Ｒｅｑｕｅｓｔ  ＧＥＯ  Ｎａｖｉｇａｔｉｏｎ  Ｍｅｓｓａｇｅ  Ｐａｒ��ｍｅｔｅｒｓ、Ｒｅｑｕｅｓｔ  Ｍｏｄｅｒｎｉｚｅｄ  ＧＰＳ  Ａｌｍａｎａｃ、Ｒｅｑｕｅｓｔ  ＱＺＳＳ  Ａｌｍａｎａｃ、Ｒｅｑｕｅｓｔ  ＧＬＯＮＡＳＳ  Ａｌｍａｎａｃ、Ｒｅｑｕｅｓｔ  Ｇａｌｉｌｅｏ  Ａｌｍａｎａｃ、Ｒｅｑｕｅｓｔ  ＧＥＯ  Ａｌｍａｎａｃｓ  Ｍｅｓｓａｇｅ  Ｐａｒａｍｅｔｅｒｓ、Ｒｅｑｕｅｓｔ  ＧＰＳ  Ｉｏｎｏｓｐｈｅｒｉｃ  Ｍｏｄｅｌ、Ｒｅｑｕｅｓｔ  ＧＡＬＩＬＥＯ  Ｉｏｎｏｓｐｈｅｒｉｃ  Ｍｏｄｅｌ、Ｒｅｑｕｅｓｔ  ＱＺＳＳ  Ｉｏｎｏｓｐｈｅｒｉｃ  Ｍｏｄｅｌ、Ｒｅｑｕｅｓｔ  ＧＮＳＳ−ＧＮＳＳ  Ｔｉｍｅ  Ｏｆｆｓｅｔ、Ｒｅｑｕｅｓｔ  ＧＰＳ  ＵＴＣ  Ｍｏｄｅｌ、Ｒｅｑｕｅｓｔ  Ａｄｖａｎｃｅｄ  ＧＮＳＳ  Ｓａｔｅｌｌｉｔｅ  Ｈｅａｌｔｈ  Ｉｎｆｏｒｍａｔｉｏｎ、および／またはＲｅｑｕｅｓｔ  ＤＧＮＳＳ  Ａｓｓｉｓｔａｎｃｅのうちの１つまたは複数を含み得る。
【００７９】
また、限定ではなく例として、ＩＳ−８０１−Ｂの一部として、ＭＳによって送信される応答要素は、Ｒｅｊｅｃｔ、Ｐｒｏｖｉｄｅ  Ｌｏｃａｔｉｏｎ  Ｒｅｓｐｏｎｓｅ、Ｐｒｏｖｉｄｅ  ＭＳ  Ｉｎｆｏｒｍａｔｉｏｎ、Ｐｒｏｖｉｄｅ  Ａｕｔｏｎｏｍｏｕｓ  Ｍｅａｓｕｒｅｍｅｎｔ  Ｗｅｉｇｈｔｉｎｇ  Ｆａｃｔｏｒｓ、Ｐｒｏｖｉｄｅ  Ｐｓｅｕｄｏｒａｎｇｅ  Ｍｅａｓｕｒｅｍｅｎｔ、Ｐｒｏｖｉｄｅ  Ｐｉｌｏｔ  Ｐｈａｓｅ  Ｍｅａｓｕｒｅｍｅｎｔ、Ｐｒｏｖｉｄｅ  Ｔｉｍｅ  Ｏｆｆｓｅｔ  Ｍｅａｓｕｒｅｍｅｎｔ、Ｐｒｏｖｉｄｅ  Ｃａｎｃｅｌｌａｔｉｏｎ  Ａｃｋｎｏｗｌｅｄｇｅｍｅｎｔ、Ｅｘｔｅｎｄｅｄ、Ｒｅｊｅｃｔ、Ｐｒｏｖｉｄｅ  Ｅｘｔｅｎｄｅｄ  Ｌｏｃａｔｉｏｎ  Ｒｅｓｐｏｎｓｅ、Ｐｒｏｖｉｄｅ  Ｅｘｔｅｎｄｅｄ  ＭＳ  Ｉｎｆｏｒｍａｔｉｏｎ、Ｐｒｏｖｉｄｅ  Ａｕｔｏｎｏｍｏｕｓ  Ｍｅａｓｕｒｅｍｅｎｔ  Ｗｅｉｇｈｔｉｎｇ  Ｆａｃｔｏｒｓ  ｖ１、Ｐｒｏｖｉｄｅ  Ｇｅｎｅｒａｌ  Ｌｏｃａｔｉｏｎ  Ｍｅａｓｕｒｅｍｅｎｔ、Ｐｒｏｖｉｄｅ  Ｅｘｔｅｎｄｅｄ  Ｃａｎｃｅｌｌａｔｉｏｎ  Ａｃｋｎｏｗｌｅｄｇｅｍｅｎｔ、Ｐｒｏｖｉｄｅ  ＧＰＳ  Ｃｏａｒｓｅ  Ｌｏｃａｔｉｏｎ  Ｒｅｓｐｏｎｓｅ、Ｐｒｏｖｉｄｅ  Ｍｅｓｓａｇｉｎｇ  Ｄｅｌａｙ  Ｍｅａｓｕｒｅｍｅｎｔ、Ｐｒｏｖｉｄｅ  Ｂｅａｒｉｎｇ  Ｍｅａｓｕｒｅｍｅｎｔ、Ｐｒｏｖｉｄｅ  Ｓｅｒｖｉｎｇ  Ｓｙｓｔｅｍ  Ｉｎｆｏｒｍａｔｉｏｎ、Ａｄｖａｎｃｅｄ  Ｒｅｊｅｃｔ、Ｐｒｏｖｉｄｅ  Ａｄｖａｎｃｅｄ  Ｌｏｃａｔｉｏｎ  Ｒｅｓｐｏｎｓｅ、Ｐｒｏｖｉｄｅ  Ａｄｖａｎｃｅｄ  ＭＳ  Ｉｎｆｏｒｍａｔｉｏｎ、Ｐｒｏｖｉｄｅ  ＵＭＢ  Ｐｉｌｏｔ  Ｔｉｍｅ  Ｏｆｆｓｅｔ  Ｍｅａｓｕｒｅｍｅｎｔ、Ｐｒｏｖｉｄｅ  ＨＲＰＤ  Ｐｉｌｏｔ  Ｐｈａｓｅ  Ｍｅａｓｕｒｅｍｅｎｔ、Ｐｒｏｖｉｄｅ  ＧＮＳＳ  Ｐｓｅｕｄｏｒａｎｇｅ  Ｍｅａｓｕｒｅｍｅｎｔ、Ｐｒｏｖｉｄｅ  Ａｄｖａｎｃｅｄ  Ｃａｎｃｅｌｌａｔｉｏｎ  Ａｃｋｎｏｗｌｅｄｇｅｍｅｎｔ、および／またはＰｒｏｖｉｄｅ  Ａｄｖａｎｃｅｄ  Ｓｙｓｔｅｍ  Ｐａｒａｍｅｔｅｒｓ  Ｉｎｆｏｒｍａｔｉｏｎのうちの１つまたは複数を含み得る。
【００８０】
限定ではなくさらなる例として、ＭＳによって受信されるＩＳ−８０１−Ｂ要求要素の一部は、Ｒｅｑｕｅｓｔ  Ｌｏｃａｔｉｏｎ  Ｒｅｓｐｏｎｓｅ、Ｒｅｑｕｅｓｔ  ＭＳ  Ｉｎｆｏｒｍａｔｉｏｎ、Ｒｅｑｕｅｓｔ  Ａｕｔｏｎｏｍｏｕｓ  Ｍｅａｓｕｒｅｍｅｎｔ  Ｗｅｉｇｈｔｉｎｇ  Ｆａｃｔｏｒｓ、Ｒｅｑｕｅｓｔ  Ｐｓｅｕｄｏｒａｎｇｅ  Ｍｅａｓｕｒｅｍｅｎｔ、Ｒｅｑｕｅｓｔ  Ｐｉｌｏｔ  Ｐｈａｓｅ  Ｍｅａｓｕｒｅｍｅｎｔ、Ｒｅｑｕｅｓｔ  Ｔｉｍｅ  Ｏｆｆｓｅｔ  Ｍｅａｓｕｒｅｍｅｎｔ、Ｒｅｑｕｅｓｔ  Ｃａｎｃｅｌｌａｔｉｏｎ、Ｒｅｑｕｅｓｔ  Ｅｘｔｅｎｄｅｄ  Ｌｏｃａｔｉｏｎ  Ｒｅｓｐｏｎｓｅ、Ｒｅｑｕｅｓｔ  Ｅｘｔｅｎｄｅｄ  ＭＳ  Ｉｎｆｏｒｍａｔｉｏｎ、Ｒｅｑｕｅｓｔ  Ａｕｔｏｎｏｍｏｕｓ  Ｍｅａｓｕｒｅｍｅｎｔ  Ｗｅｉｇｈｔｉｎｇ  Ｆａｃｔｏｒｓ  ｖ１、Ｒｅｑｕｅｓｔ  Ｇｅｎｅｒａｌ  Ｌｏｃａｔｉｏｎ  Ｍｅａｓｕｒｅｍｅｎｔ、Ｒｅｑｕｅｓｔ  Ｅｘｔｅｎｄｅｄ  Ｃａｎｃｅｌｌａｔｉｏｎ、Ｒｅｑｕｅｓｔ  ＧＰＳ  Ｃｏａｒｓｅ  Ｌｏｃａｔｉｏｎ  Ｒｅｓｐｏｎｓｅ、Ｒｅｑｕｅｓｔ  Ｍｅｓｓａｇｉｎｇ  Ｄｅｌａｙ  Ｍｅａｓｕｒｅｍｅｎｔ、Ｒｅｑｕｅｓｔ  Ｂｅａｒｉｎｇ  Ｍｅａｓｕｒｅｍｅｎｔ、Ｒｅｑｕｅｓｔ  Ｓｅｒｖｉｎｇ  Ｓｙｓｔｅｍ  Ｉｎｆｏｒｍａｔｉｏｎ、Ｒｅｑｕｅｓｔ  Ａｄｖａｎｃｅｄ  Ｌｏｃａｔｉｏｎ  Ｒｅｓｐｏｎｓｅ、Ｒｅｑｕｅｓｔ  Ａｄｖａｎｃｅｄ  ＭＳ  Ｉｎｆｏｒｍａｔｉｏｎ、Ｒｅｑｕｅｓｔ  ＵＭＢ  Ｐｉｌｏｔ  Ｔｉｍｅ  Ｏｆｆｓｅｔ  Ｍｅａｓｕｒｅｍｅｎｔ、Ｒｅｑｕｅｓｔ  ＨＲＰＤ  Ｐｉｌｏｔ  Ｐｈａｓｅ  Ｍｅａｓｕｒｅｍｅｎｔ、Ｒｅｑｕｅｓｔ  ＧＮＳＳ  Ｐｓｅｕｄｏｒａｎｇｅ  Ｍｅａｓｕｒｅｍｅｎｔ、Ｒｅｑｕｅｓｔ  Ａｄｖａｎｃｅｄ  Ｃａｎｃｅｌｌａｔｉｏｎ、および／またはＲｅｑｕｅｓｔ  Ａｄｖａｎｃｅｄ  Ｓｙｓｔｅｍ  Ｐａｒａｍｅｔｅｒｓ  Ｉｎｆｏｒｍａｔｉｏｎのうちの１つまたは複数を含み得る。
【００８１】
限定ではなくさらなる例として、ＭＳによって受信されるＩＳ−８０１−Ｂ応答要素の一部は、Ｒｅｊｅｃｔ、Ｐｒｏｖｉｄｅ  Ｌｏｃａｔｉｏｎ  Ｒｅｓｐｏｎｓｅ、Ｐｒｏｖｉｄｅ  ＢＳ  Ｃａｐａｂｉｌｉｔｉｅｓ、Ｐｒｏｖｉｄｅ  Ｂａｓｅ  Ｓｔａｔｉｏｎ  Ａｌｍａｎａｃ、Ｐｒｏｖｉｄｅ  ＧＰＳ  Ａｃｑｕｉｓｉｔｉｏｎ  Ａｓｓｉｓｔａｎｃｅ、Ｐｒｏｖｉｄｅ  ＧＰＳ  Ｓｅｎｓｉｔｉｖｉｔｙ  Ａｓｓｉｓｔａｎｃｅ、Ｐｒｏｖｉｄｅ  ＧＰＳ  Ｌｏｃａｔｉｏｎ  Ａｓｓｉｓｔａｎｃｅ−Ｓｐｈｅｒｉｃａｌ  Ｃｏｏｒｄｉｎａｔｅｓ、Ｐｒｏｖｉｄｅ  ＧＰＳ  Ｌｏｃａｔｉｏｎ  Ａｓｓｉｓｔａｎｃｅ−Ｃａｒｔｅｓｉａｎ  Ｃｏｏｒｄｉｎａｔｅｓ、Ｐｒｏｖｉｄｅ  ＧＰＳ  Ａｌｍａｎａｃ、Ｐｒｏｖｉｄｅ  ＧＰＳ  Ｅｐｈｅｍｅｒｉｓ、Ｐｒｏｖｉｄｅ  ＧＰＳ  Ｎａｖｉｇａｔｉｏｎ  Ｍｅｓｓａｇｅ  Ｂｉｔｓ、Ｐｒｏｖｉｄｅ  ＧＰＳ  Ａｌｍａｎａｃ  Ｃｏｒｒｅｃｔｉｏｎ、Ｐｒｏｖｉｄｅ  ＧＰＳ  Ｓａｔｅｌｌｉｔｅ  Ｈｅａｌｔｈ  Ｉｎｆｏｒｍａｔｉｏｎ、Ｅｘｔｅｎｄｅｄ  Ｒｅｊｅｃｔ、Ｐｒｏｖｉｄｅ  Ｅｘｔｅｎｄｅｄ  Ｌｏｃａｔｉｏｎ  Ｒｅｓｐｏｎｓｅ、Ｐｒｏｖｉｄｅ  Ｅｘｔｅｎｄｅｄ  ＢＳ  Ｃａｐａｂｉｌｉｔｉｅｓ、Ｐｒｏｖｉｄｅ  Ｅｎｈａｎｃｅｄ  Ｂａｓｅ  Ｓｔａｔｉｏｎ  Ａｌｍａｎａｃ、Ｐｒｏｖｉｄｅ  Ｇｅｎｅｒａｌ  Ａｃｑｕｉｓｉｔｉｏｎ  Ａｓｓｉｓｔａｎｃｅ、Ｐｒｏｖｉｄｅ  Ｅｘｔｅｎｄｅｄ  ＧＰＳ  Ｓｅｎｓｉｔｉｖｉｔｙ  Ａｓｓｉｓｔａｎｃｅ、Ｐｒｏｖｉｄｅ  ＧＰＳ  Ａｌｍａｎａｃ  ｖ１、Ｐｒｏｖｉｄｅ  Ｅｘｔｅｎｄｅｄ  ＧＰＳ  Ｅｐｈｅｍｅｒｉｓ、Ｐｒｏｖｉｄｅ  Ｅｘｔｅｎｄｅｄ  ＧＰＳ  Ｎａｖｉｇａｔｉｏｎ  Ｍｅｓｓａｇｅ  Ｂｉｔｓ、Ｐｒｏｖｉｄｅ  Ｅｘｔｅｎｄｅｄ  ＧＰＳ  Ａｌｍａｎａｃ  Ｃｏｒｒｅｃｔｉｏｎ、Ｐｒｏｖｉｄｅ  Ｅｘｔｅｎｄｅｄ  ＧＰＳ  Ｓａｔｅｌｌｉｔｅ  Ｈｅａｌｔｈ  Ｉｎｆｏｒｍａｔｉｏｎ、Ｐｒｏｖｉｄｅ  ＧＰＳ  Ｃｏａｒｓｅ  Ｌｏｃａｔｉｏｎ  Ａｓｓｉｓｔａｎｃｅ、Ｐｒｏｖｉｄｅ  ＧＰＳ  Ｃｏａｒｓｅ  Ａｃｑｕｉｓｉｔｉｏｎ  Ａｓｓｉｓｔａｎｃｅ、Ｐｒｏｖｉｄｅ  ＤＧＰＳ  Ａｓｓｉｓｔａｎｃｅ、Ｐｒｏｖｉｄｅ  ＧＰＳ  Ｒｅａｌ−Ｔｉｍｅ  Ｉｎｔｅｇｒｉｔｙ  Ｉｎｆｏｒｍａｔｉｏｎ、Ａｄｖａｎｃｅｄ  Ｒｅｊｅｃｔ、Ｐｒｏｖｉｄｅ  Ａｄｖａｎｃｅｄ  Ｌｏｃａｔｉｏｎ  Ｒｅｓｐｏｎｓｅ、Ｐｒｏｖｉｄｅ  Ａｄｖａｎｃｅｄ  ＢＳ  Ｃａｐａｂｉｌｉｔｉｅｓ、Ｐｒｏｖｉｄｅ  Ａｄｖａｎｃｅｄ  ＵＭＢ  Ｂａｓｅ  Ｓｔａｔｉｏｎ  Ａｌｍａｎａｃ、Ｐｒｏｖｉｄｅ  Ａｄｖａｎｃｅｄ  ＨＲＰＤ  Ｂａｓｅ  Ｓｔａｔｉｏｎ  Ａｌｍａｎａｃ、Ｐｒｏｖｉｄｅ  Ａｄｖａｎｃｅｄ  １Ｘ  Ｂａｓｅ  Ｓｔａｔｉｏｎ  Ａｌｍａｎａｃ、Ｐｒｏｖｉｄｅ  ＧＮＳＳ  Ａｃｑｕｉｓｉｔｉｏｎ  Ａｓｓｉｓｔａｎｃｅ、Ｐｒｏｖｉｄｅ  ＧＮＳＳ  Ｓｅｎｓｉｔｉｖｉｔｙ  Ａｓｓｉｓｔａｎｃｅ、Ｐｒｏｖｉｄｅ  Ｍｏｄｅｒｎｉｚｅｄ  ＧＰＳ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＱＺＳＳ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＧＬＯＮＡＳＳ  Ｅｐｈｅｍｅｒｉｓ  ａｎ���  Ｃｌｏｃｋ  Ｃｏｒｒｅｃｔｉｏｎ、Ｐｒｏｖｉｄｅ  Ｇａｌｉｌｅｏ  Ｅｐｈｅｍｅｒｉｓ  ａｎｄ  Ｃｌｏｃｋ  Ｃｏｒｒｅｃｔｉｏｎ、Ｐｒｏｖｉｄｅ  ＧＥＯ  Ｎａｖｉｇａｔｉｏｎ  Ｍｅｓｓａｇｅ  Ｐａｒａｍｅｔｅｒｓ、Ｐｒｏｖｉｄｅ  Ｍｏｄｅｒｎｉｚｅｄ  ＧＰＳ  Ａｌｍａｎａｃ、Ｐｒｏｖｉｄｅ  ＱＺＳＳ  Ａｌｍａｎａｃ、Ｐｒｏｖｉｄｅ  ＧＬＯＮＡＳＳ  Ａｌｍａｎａｃ、Ｐｒｏｖｉｄｅ  Ｇａｌｉｌｅｏ  Ａｌｍａｎａｃ、Ｐｒｏｖｉｄｅ  ＧＥＯ  Ａｌｍａｎａｃｓ  Ｍｅｓｓａｇｅ  Ｐａｒａｍｅｔｅｒｓ、Ｐｒｏｖｉｄｅ  ＧＰＳ  Ｉｏｎｏｓｐｈｅｒｉｃ  Ｍｏｄｅｌ、Ｐｒｏｖｉｄｅ  ＧＡＬＩＬＥＯ  Ｉｏｎｏｓｐｈｅｒｉｃ  Ｍｏｄｅｌ、Ｐｒｏｖｉｄｅ  ＱＺＳＳ  Ｉｏｎｏｓｐｈｅｒｉｃ  Ｍｏｄｅｌ、Ｐｒｏｖｉｄｅ  ＧＮＳＳ−ＧＮＳＳ  Ｔｉｍｅ  Ｏｆｆｓｅｔ、Ｐｒｏｖｉｄｅ  ＧＰＳ  ＵＴＣ  Ｍｏｄｅｌ、Ｐｒｏｖｉｄｅ  Ａｄｖａｎｃｅｄ  ＧＮＳＳ  Ｓａｔｅｌｌｉｔｅ  Ｈｅａｌｔｈ  Ｉｎｆｏｒｍａｔｉｏｎ、および／またはＰｒｏｖｉｄｅ  ＤＧＮＳＳ  Ａｓｓｉｓｔａｎｃｅのうちの１つまたは複数を含み得る。
【００８２】
したがって、上記の例によって示すように、様々な要求要素および応答要素をポジショニングプロトコルバージョンによって定義されたＰＤＤＭ内でサポートすることができる。
【００８３】
次に図６に注目すると、図６は、ワイヤレス通信ネットワーク１００内でいくつかの例示的な移動局機能メッセージ中で提供される情報および／またはデータフィールドの一部を例示的に示すブロック図である。
【００８４】
前述のように、新しいＳＰＳに対して多くの新しいデータフォーマットが定義でき、または利用可能であり、したがって、複数のネイティブまたは非ネイティブフォーマット化された支援データの組合せが可能である。しかしながら、移動局がすべての可能な組合せをサポートすることができないことがある。支援データ情報を移動局によってサポートされないフォーマットで送信することを回避するために、たとえば、各サポートＳＰＳについてサポート支援データ選択に関する特定の情報を含む新しい拡張移動局機能を提供することができる。
【００８５】
図６に示すように、たとえば、移動局機能要素６０２は、特定のＳＰＳ  ＩＤ６０４−１によって識別される、各サポートＳＰＳに関する情報を含むことができる。各サポートＳＰＳ  ＩＤについて、どの特定の支援データ要素がサポートされるかについての情報を、サポート支援データ要素６０６−１によって提供することができる。支援データ要素が複数のフォーマット選択を有する場合、フォーマット選択インジケータ６０９−１を含めることができる。この例示的な実装形態に示すように、モデルまたはフォーマットごとに１つのビットを使用して特定の支援データフォーマットまたは選択のサポートまたは非サポートを示すことができる、Ｎ個のフォーマットＩＤのビットマップを定義する。これは、たとえば、値１をサポートに、値０を非サポートに定義することによって行うことができる。ここで、たとえば、各サポートＳＰＳについて、要素６０４−１、６０４−２、．．．、６０４−ｎを移動局機能メッセージ中に含めることができる。ＳＰＳ６０４−ｎごとに、それぞれ特定の支援データタイプのサポートを示す、１つの支援データ要素６０６−１、６０６−２、．．．、６０６−ｎを含めることができる。
【００８６】
現在例示的な特徴と考えられていることを例示し説明したが、請求する主題を逸脱することなく、他の様々な変形を行うことができ、均等物を代用することができることが、当業者には理解されよう。さらに、本明細書に記載の中心概念から逸脱することなく、請求する主題の教示に特定の状況を適合させるために多くの変更を行うことができる。
【００８７】
したがって、請求する主題は、開示された特定の例に限定されず、そのような請求する主題は、添付の特許請求の範囲の範囲内に入るすべての態様、およびその均等物をも含むものとする。
【図１】
2015078997.tif 000003
【図２】
2015078997.tif 000004
【図３】
2015078997.tif 000005
【図４】
2015078997.tif 000006
【図５】
2015078997.tif 000007
【図６】
2015078997.tif 000008
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
移動局における方法であって、
受信された衛星測位システム（ＳＰＳ）信号に少なくとも部分的に基づいて前記移動局による位置決定プロセスをサポートするために前記移動局によって使用されるＳＰＳに関連付けられた、要求されるべき被要求支援データを前記移動局が識別することと、
特定のフォーマットで前記被要求支援データを取得するために、少なくとも１つのメッセージを表す電磁信号を、ワイヤレス通信リンクを介して少なくとも１つのネットワークリソースに送信することと、
を備え、前記少なくとも１つのメッセージは、前記被要求支援データと、前記被要求支援データが複数のフォーマットで利用可能な場合には前記被要求支援データの特定のフォーマットとを識別する少なくとも１つの要素を備え、
前記被要求支援データの前記特定のフォーマットは、前記ＳＰＳによって提供されるネイティブフォーマットまたは前記ＳＰＳによって提供されない非ネイティブフォーマットを備える、方法。
【請求項２】
前記少なくとも１つのメッセージは、前記ＳＰＳのみに関連付けられる、請求項１に記載の方法。
【請求項３】
前記少なくとも１つのメッセージは、前記特定のフォーマットを識別することが可能なデータフィールドを備える、請求項２に記載の方法。
【請求項４】
前記少なくとも１つのメッセージは、前記ＳＰＳを識別する第１のデータフィールドを使用して複数のＳＰＳのうちの１つに選択的に関連付けられることが可能な単一のメッセージを備える、請求項１に記載の方法。
【請求項５】
前記単一のメッセージは、前記特定のフォーマットを識別する第２のデータフィールドを備える、請求項４に記載の方法。
【請求項６】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項１に記載の方法。
【請求項７】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項６に記載の方法。
【請求項８】
前記被要求支援データは、前記ＳＰＳに関連付けられた、エフェメリスデータ、アルマナックデータ、モデルデータ、タイミングデータ、および／または健康データのうちの少なくとも１つを備える、請求項１に記載の方法。
【請求項９】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項１に記載の方法。
【請求項１０】
特定の装置における方法であって、
移動局からワイヤレス通信リンクを介して送信された少なくとも１つの受信メッセージを表す電磁信号を受信することと、ここで、前記少なくとも１つの受信メッセージは、前記移動局によって識別され衛星測位システム（ＳＰＳ）に関連付けられたものとして、被要求支援データを識別し、前記被要求支援データが様々なフォーマットで利用可能な場合には前記被要求支援データの特定のフォーマットを識別する、少なくとも１つの要素を備え、前記特定のフォーマットは、前記ＳＰＳによって提供されるネイティブフォーマットまたは前記ＳＰＳによって提供されない非ネイティブフォーマットを含む、
ワイヤレス通信リンクを介して前記移動局に送信された、１つまたは複数のメッセージを表す電磁信号を介して前記被要求支援データを提供することと、
を備え、前記被要求支援データは、前記ＳＰＳに関連付けられており、前記少なくとも１つの受信メッセージにおいて識別される場合、前記被要求支援データは、前記特定のフォーマットで提供され、
前記被要求支援データは、受信された電磁信号に少なくとも部分的に基づいて前記移動局で位置決定プロセスをサポートする、方法。
【請求項１１】
前記少なくとも１つの受信メッセージは、前記ＳＰＳのみに関連付けられている、請求項１０に記載の方法。
【請求項１２】
前記少なくとも１つの受信メッセージは、前記特定のフォーマットを識別することが可能なデータフィールドを備える、請求項１１に記載の方法。
【請求項１３】
前記少なくとも１つの受信メッセージは、前記ＳＰＳを識別する第１のデータフィールドを使用して複数のＳＰＳのうちの１つに選択的に関連付けられることが可能な単一のメッセージを備える、請求項１０に記載の方法。
【請求項１４】
前記単一のメッセージは、前記特定のフォーマットを識別する第２のデータフィールドを備える、請求項１３に記載の方法。
【請求項１５】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項１０に記載の方法。
【請求項１６】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項１５に記載の方法。
【請求項１７】
前記被要求支援データは、前記ＳＰＳに関連付けられた、エフェメリスデータ、アルマナックデータ、モデルデータ、タイミングデータ、および／または健康データのうちの少なくとも１つを備える、請求項１０に記載の方法。
【請求項１８】
前記ＳＰＳからネイティブフォーマットで前記被要求支援データを表す電磁信号を受信することをさらに備える、請求項１０に記載の方法。
【請求項１９】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項１０に記載の方法。
【請求項２０】
移動局内の装置であって、
受信されたＳＰＳ信号に少なくとも部分的に基づいて前記移動局による位置決定プロセスをサポートするために前記移動局によって使用される衛星測位システム（ＳＰＳ）に関連付けられた、要求されるべき被要求支援データを前記移動局が識別するための手段と、
特定のフォーマットで前記被要求支援データを取得するために、少なくとも１つのメッセージを表す電磁信号を、ワイヤレス通信リンクを介して少なくとも１つのネットワークリソースに送信するための手段と
を備え、前記少なくとも１つのメッセージは、前記被要求支援データと、前記被要求支援データが複数のフォーマットで利用可能な場合には前記被要求支援データの特定のフォーマットとを識別する少なくとも１つの要素を備え、
前記被要求支援データの前記特定のフォーマットは、前記ＳＰＳによって提供されるネイティブフォーマットまたは前記ＳＰＳによって提供されない非ネイティブフォーマットを備える、装置。
【請求項２１】
前記少なくとも１つのメッセージは、前記ＳＰＳのみに関連付けられる、請求項２０に記載の装置。
【請求項２２】
前記少なくとも１つのメッセージは、前記特定のフォーマットを識別することが可能なデータフィールドを備える、請求項２１に記載の装置。
【請求項２３】
前記少なくとも１つのメッセージは、前記ＳＰＳを識別する第１のデータフィールドを使用して複数のＳＰＳのうちの１つに選択的に関連付けられることが可能な単一のメッセージを備える、請求項２０に記載の装置。
【請求項２４】
前記単一のメッセージは、前記特定のフォーマットを識別する第２のデータフィールドを備える、請求項２３に記載の装置。
【請求項２５】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項２０に記載の装置。
【請求項２６】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項２５に記載の装置。
【請求項２７】
前記被要求支援データは、前記ＳＰＳに関連付けられた、エフェメリスデータ、アルマナックデータ、モデルデータ、タイミングデータ、および／または健康データのうちの少なくとも１つを備える、請求項２０に記載の装置。
【請求項２８】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項２０に記載の装置。
【請求項２９】
特定の装置であって、
移動局からワイヤレス通信リンクを介して送信された少なくとも１つの受信メッセージを表す電磁信号を受信するための手段と、ここで、前記少なくとも１つのメッセージは、前記移動局によって識別され衛星測位システム（ＳＰＳ）に関連付けられたものとして、被要求支援データを識別し、前記被要求支援データが様々なフォーマットで利用可能な場合には前記被要求支援データの特定のフォーマットを識別する、少なくとも１つの要素を備える、
ワイヤレス通信リンクを介して前記移動局に送信された、１つまたは複数のメッセージを表す電磁信号を介して前記被要求支援データを提供するための手段と、
を備え、前記被要求支援データは、前記ＳＰＳに関連付けられており、前記少なくとも１つの受信メッセージにおいて識別される場合には前記被要求支援データは、前記特定のフォーマットで提供され、前記被要求支援データは、受信された電磁信号に少なくとも部分的に基づいて前記移動局で位置決定プロセスをサポートする、特定の装置。
【請求項３０】
前記少なくとも１つの受信メッセージは、前記ＳＰＳのみに関連付けられる、請求項２９に記載の特定の装置。
【請求項３１】
前記少なくとも１つの受信メッセージは、前記特定のフォーマットを識別することが可能なデータフィールドを備える、請求項３０に記載の特定の装置。
【請求項３２】
前記少なくとも１つの受信メッセージは、前記ＳＰＳを識別する第１のデータフィールドを使用して複数のＳＰＳのうちの１つに選択的に関連付けられることが可能な単一のメッセージを備える、請求項２９に記載の特定の装置。
【請求項３３】
前記単一のメッセージは、前記特定のフォーマットを識別する第２のデータフィールドを備える、請求項３２に記載の特定の装置。
【請求項３４】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項２９に記載の特定の装置。
【請求項３５】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項３４に記載の特定の装置。
【請求項３６】
前記被要求支援データは、前記ＳＰＳに関連付けられた、エフェメリスデータ、アルマナックデータ、モデルデータ、タイミングデータ、および／または健康データのうちの少なくとも１つを備える、請求項２９に記載の特定の装置。
【請求項３７】
前記ＳＰＳからネイティブフォーマットで前記被要求支援データを受信するための手段をさらに備える、請求項２９に記載の特定の装置。
【請求項３８】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項２９に記載の特定の装置。
【請求項３９】
移動局であって、
衛星測位システム（ＳＰＳ）に関連付けられた電磁信号を受信することが実効的に可能である少なくとも１つの受信機と、
少なくとも１つのワイヤレストランシーバと、
前記受信機と前記ワイヤレストランシーバとに動作可能に結合された少なくとも１つの処理ユニットと、
を備え、前記少なくとも１つの処理ユニットは、
前記ＳＰＳに関連付けられた前記受信された電磁信号に少なくとも部分的に基づいて位置決定プロセスをサポートするために前記移動局によって使用される前記ＳＰＳに関連付けられた、要求されるべき被要求支援データを前記少なくとも１つの処理ユニットが識別ことと、
特定のフォーマットで前記被要求支援データを取得するために、前記ワイヤレストランシーバを使用し、少なくとも１つのネットワークリソースへのワイヤレス通信リンクを介した、少なくとも１つのメッセージを表す電磁信号の送信を開始することと
が実効的に可能であり、前記少なくとも１つのメッセージは、前記被要求支援データと、前記被要求支援データが複数のフォーマットで利用可能な場合には前記被要求支援データの前記特定のフォーマットとを識別する少なくとも１つの要素を備え、
前記被要求支援データの前記特定のフォーマットは、前記ＳＰＳによって提供されるネイティブフォーマットまたは前記ＳＰＳによって提供されない非ネイティブフォーマットを備える、移動局。
【請求項４０】
前記メッセージは、前記ＳＰＳのみに関連付けられる、請求項３９に記載の装置。
【請求項４１】
前記メッセージは、前記特定のフォーマットを識別することが可能なデータフィールドを備える、請求項４０に記載の装置。
【請求項４２】
前記少なくとも１つのメッセージは、前記ＳＰＳを識別する第１のデータフィールドを使用して複数のＳＰＳのうちの１つに選択的に関連付けられることが可能な単一のメッセージを備える、請求項３９に記載の装置。
【請求項４３】
前記単一のメッセージは、前記特定のフォーマットを識別する第２のデータフィールドを備える、請求項４２に記載の装置。
【請求項４４】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項３９に記載の装置。
【請求項４５】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項４４に記載の装置。
【請求項４６】
前記被要求支援データは、前記ＳＰＳに関連付けられた、エフェメリスデータ、アルマナックデータ、モデルデータ、タイミングデータ、および／または健康データのうちの少なくとも１つを備える、請求項３９に記載の装置。
【請求項４７】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項３９に記載の装置。
【請求項４８】
少なくとも１つの処理ユニットを備える特定の装置であって、前記少なくとも１つの処理ユニットは、
移動局からワイヤレス通信リンクを介して送信された少なくとも１つのメッセージを表す信号にアクセスすることと、ここで、前記少なくとも１つのメッセージは、前記移動局によって識別され衛星測位システム（ＳＰＳ）に関連付けられたものとして、被要求支援データを識別し、前記被要求支援データが様々なフォーマットで利用可能な場合には前記被要求支援データの特定のフォーマットを識別する、少なくとも１つの要素を備え、前記特定のフォーマットは、前記ＳＰＳによって提供されるネイティブフォーマットまたは前記ＳＰＳによって提供されない非ネイティブフォーマットを含む、
前記少なくとも１つのメッセージに応答して、前記移動局へのワイヤレス通信リンクを介した、１つまたは複数のメッセージでの、前記被要求支援データを表す電磁信号の送信を開始することと
が実効的に可能であり、前記被要求支援データは、前記ＳＰＳに関連付けられており、前記受信メッセージにおいて識別される場合、前記被要求支援データは、前記特定のフォーマットで提供され、
前記被要求支援データは、受信された電磁信号に少なくとも部分的に基づいて前記移動局で位置決定プロセスをサポートする、特定の装置。
【請求項４９】
前記受信メッセージは、前記ＳＰＳのみに関連付けられる、請求項４８に記載の特定の装置。
【請求項５０】
前記受信メッセージは、前記特定のフォーマットを識別することが可能なデータフィールドを備える、請求項４９に記載の特定の装置。
【請求項５１】
前記受信メッセージは、前記ＳＰＳを識別する第１のデータフィールドを使用して複数のＳＰＳのうちの１つに選択的に関連付けられることが可能な単一のメッセージを備える、請求項４８に記載の特定の装置。
【請求項５２】
前記単一のメッセージは、前記特定のフォーマットを識別する第２のデータフィールドを備える、請求項５１に記載の特定の装置。
【請求項５３】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項４８に記載の特定の装置。
【請求項５４】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項５３に記載の特定の装置。
【請求項５５】
前記被要求支援データは、前記ＳＰＳに関連付けられた、エフェメリスデータ、アルマナックデータ、モデルデータ、タイミングデータ、および／または健康データのうちの少なくとも１つを備える、請求項４８に記載の特定の装置。
【請求項５６】
前記少なくとも１つの処理ユニットに動作可能に結合され、前記被要求支援データをネイティブフォーマットで前記ＳＰＳから受信することが実効的に可能なＳＰＳ受信機をさらに備える、請求項４８に記載の特定の装置。
【請求項５７】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項４８に記載の特定の装置。
【請求項５８】
コンピュータ実行可能命令を格納したコンピュータ可読記憶媒体であって、前記コンピュータ実行可能命令は、移動局内の１つまたは複数の処理ユニットによって実行されると、前記移動局が
位置決定プロセスの一部として、受信された衛星測位システム（ＳＰＳ）信号に少なくとも部分的に基づいて位置決定プロセスをサポートするために、前記移動局によって要求されるべき、ＳＰＳに関連付けられた被要求支援データを前記１つまたは複数の処理ユニットが識別することと、
特定のフォーマットで前記被要求支援データを取得するために、少なくとも１つのネットワークリソースへのワイヤレス通信リンクを介した、少なくとも１つのメッセージを表す電磁信号の送信を開始することと、
を実効的に可能にし、前記少なくとも１つのメッセージは、前記被要求支援データと、前記被要求支援データが複数のフォーマットで利用可能な場合には前記被要求支援データの特定のフォーマットとを識別する少なくとも１つの要素を備え、
前記被要求支援データの前記特定のフォーマットは、前記ＳＰＳによって提供されるネイティブフォーマットまたは前記ＳＰＳによって提供されない非ネイティブフォーマットを備える、コンピュータ可読記憶媒体。
【請求項５９】
前記少なくとも１つのメッセージは、前記ＳＰＳのみに関連付けられる、請求項５８に記載のコンピュータ可読記憶媒体。
【請求項６０】
前記少なくとも１つのメッセージは、前記特定のフォーマットを識別することが可能なデータフィールドを備える、請求項５９にコンピュータ可読記憶媒体。
【請求項６１】
前記少なくとも１つのメッセージは、前記ＳＰＳを識別する第１のデータフィールドを使用して複数のＳＰＳのうちの１つに選択的に関連付けられることが可能な単一のメッセージを備える、請求項５８に記載のコンピュータ可読記憶媒体。
【請求項６２】
前記単一のメッセージは、前記特定のフォーマットを識別する第２のデータフィールドを備える、請求項６１に記載のコンピュータ可読記憶媒体。
【請求項６３】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項５８に記載のコンピュータ可読記憶媒体。
【請求項６４】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項６３に記載のコンピュータ可読記憶媒体。
【請求項６５】
前記被要求支援データは、前記ＳＰＳに関連付けられた、エフェメリスデータ、アルマナックデータ、モデルデータ、タイミングデータ、および／または健康データのうちの少なくとも１つを備える、請求項５８に記載のコンピュータ可読記憶媒体。
【請求項６６】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項５８に記載のコンピュータ可読記憶媒体。
【請求項６７】
コンピュータ実行可能命令を格納したコンピュータ可読記憶媒体であって、前記コンピュータ実行可能命令は、ワイヤレスネットワークリソースデバイスの１つまたは複数の処理ユニットによって実行されると、前記ワイヤレスネットワークリソースデバイスが、
移動局からワイヤレス通信リンクを介して受信される１つまたは複数の電磁信号にあるような、少なくとも１つの受信メッセージを表す少なくとも１つの信号にアクセスすることと、ここで、前記少なくとも１つの受信メッセージは、前記移動局によって識別され衛星測位システム（ＳＰＳ）に関連付けられたものとして、被要求支援データを識別し、前記被要求支援データが様々なフォーマットで利用可能な場合には前記被要求支援データの特定のフォーマットを識別する、少なくとも１つの要素を備え、前記特定のフォーマットは、前記ＳＰＳによって提供されるネイティブフォーマットまたは前記ＳＰＳによって提供されない非ネイティブフォーマットを含む、
前記被要求支援データを表す信号にアクセスすることと、ここで、前記被要求支援データは、前記ＳＰＳに関連付けられ、前記受信メッセージにおいて識別される場合、前記被要求支援データは、前記特定のフォーマットで提供される、
前記移動局へのワイヤレス通信リンクを介した、１つまたは複数のメッセージにおける、前記被要求支援データを表す前記アクセスされた信号を表す１つまたは複数の電磁信号の送信を開始することと、
を実効的に可能にし、前記被要求支援データは、受信された電磁信号に少なくとも部分的に基づいて前記移動局で位置決定プロセスをサポートする、コンピュータ可読記憶媒体。
【請求項６８】
前記少なくとも１つの受信メッセージは、前記ＳＰＳのみに関連付けられる、請求項６７に記載のコンピュータ可読記憶媒体。
【請求項６９】
前記少なくとも１つの受信メッセージは、前記特定のフォーマットを識別することが可能なデータフィールドを備える、請求項６８に記載のコンピュータ可読記憶媒体。
【請求項７０】
前記少なくとも１つの受信メッセージは、前記ＳＰＳを識別する第１のデータフィールドを使用して複数のＳＰＳのうちの１つに選択的に関連付けられることが可能な単一のメッセージを備える、請求項６７に記載のコンピュータ可読記憶媒体。
【請求項７１】
前記単一のメッセージは、前記特定のフォーマットを識別する第２のデータフィールドを備える、請求項７０に記載のコンピュータ可読記憶媒体。
【請求項７２】
前記ＳＰＳは、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、請求項６７に記載のコンピュータ可読記憶媒体。
【請求項７３】
前記少なくとも１つのＧＮＳＳは、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つを備える、請求項７２に記載のコンピュータ可読記憶媒体。
【請求項７４】
前記被要求支援データは、前記ＳＰＳに関連付けられた、エフェメリスデータ、アルマナックデータ、モデルデータ、タイミングデータ、および／または健康データのうちの少なくとも１つを備える、請求項６７に記載のコンピュータ可読記憶媒体。
【請求項７５】
前記少なくとも１つの要素は、要求要素および／または応答要素のうちの少なくとも１つを備え、前記少なくとも１つの要素は、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、請求項６７に記載のコンピュータ可読記憶媒体。
【手続補正２】
【補正対象書類名】明細書
【補正対象項目名】００７０
【補正方法】変更
【補正の内容】
【００７０】
ブロック４０８において、ネットワークリソースは、そのような支援データが、ＮＡＶ、ＣＮＡＶ、またはＣＮＡＶ−２などのフォーマットなど、１つまたは複数のネイティブフォーマット、および／または１つまたは複数の非ネイティブフォーマットで利用可能かどうかを決定し得る。プロセスは、次いで、支援データの様々なフォーマットの利用可能性に応じて、ブロック４０９から後続のブロックに進む。
【手続補正３】
【補正対象書類名】明細書
【補正対象項目名】００８７
【補正方法】変更
【補正の内容】
【００８７】
したがって、請求する主題は、開示された特定の例に限定されず、そのような請求する主題は、添付の特許請求の範囲の範囲内に入るすべての態様、およびその均等物をも含むものとする。
以下に本願発明の当初の特許請求の範囲に記載された発明を付記する。
［Ｃ１］
移動局を用いて、下記を実行することを備える方法：
受信したＳＰＳ信号に少なくとも部分的に基づいて位置決定プロセスをサポートするために前記移動局によって使用される衛星測位システム（ＳＰＳ）に関連する支援データを識別すること；および、
ワイヤレス通信リンクを介して少なくとも１つのメッセージを表す電磁信号を少なくとも１つのネットワークリソースに送信すること、ただし、前記少なくとも１つのメッセージが、前記支援データと、前記支援データが様々なフォーマットで利用可能である場合は前記支援データの特定のフォーマットとを識別する少なくとも１つの要素を備える。
［Ｃ２］
前記メッセージが前記ＳＰＳのみに関連する、上記Ｃ１に記載の方法。
［Ｃ３］
前記メッセージが、前記特定のフォーマットを識別することが可能なデータフィールドを備える、上記Ｃ２に記載の方法。
［Ｃ４］
前記少なくとも１つのメッセージが、複数のＳＰＳのうちの１つを識別する第１のデータフィールドを使用して前記ＳＰＳに選択的に関連付けることが可能な単一のメッセージを備える、上記Ｃ１に記載の方法。
［Ｃ５］
前記単一のメッセージが、前記特定のフォーマットを識別する第２のデータフィールドを備える、上記Ｃ４に記載の方法。
［Ｃ６］
前記ＳＰＳが少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ１に記載の方法。
［Ｃ７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ６に記載の方法。
［Ｃ８］
支援データが、前記ＳＰＳに関連する、エフェメリスデータ、アルマナックデータ、モデルデータ、タイミングデータ、および／または健康データのうちの少なくとも１つを備える、上記Ｃ１に記載の方法。
［Ｃ９］
前記支援データの前記特定のフォーマットがネイティブフォーマットまたは非ネイティブフォーマットを備える、上記Ｃ１に記載の方法。
［Ｃ１０］
前記少なくとも１つの要素が要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ１に記載の方法。
［Ｃ１１］
特定の装置を用いて、下記を実行することを備える方法：
移動局からワイヤレス通信リンクを介して送信される少なくとも１つのメッセージを表す電磁信号を受信すること、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する、少なくとも１つの要素を備える；および、
ワイヤレス通信リンクを介して前記移動局に送信される１つまたは複数のメッセージを表す電磁信号を介して前記支援データを提供すること、ただし、前記支援データが前記ＳＰＳに関連しており、前記受信メッセージ中で識別された場合は前記支援データが前記特定のフォーマットで提供される。
［Ｃ１２］
前記受信メッセージが前記ＳＰＳのみに関連する、上記Ｃ１１に記載の方法。
［Ｃ１３］
前記受信メッセージが、前記特定のフォーマットを識別することが可能なデータフィールドを備える、上記Ｃ１２に記載の方法。
［Ｃ１４］
前記受信メッセージが、複数のＳＰＳのうちの１つを識別する第１のデータフィールドを使用して前記ＳＰＳに選択的に関連付けることが可能な単一のメッセージを備える、上記Ｃ１１に記載の方法。
［Ｃ１５］
前記単一のメッセージが、前記特定のフォーマットを識別する第２のデータフィールドを備える、上記Ｃ１４に記載の方法。
［Ｃ１６］
前記ＳＰＳが少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ１１に記載の方法。
［Ｃ１７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ１６に記載の方法。
［Ｃ１８］
支援データが、前記ＳＰＳに関連する、エフェメリスデータ、アルマナックデータ、モデルデータ、タイミングデータ、および／または健康データのうちの少なくとも１つを備える、上記Ｃ１１に記載の方法。
［Ｃ１９］
前記支援データの前記特定のフォーマットがネイティブフォーマットまたは非ネイティブフォーマットを備え、
さらに、前記ネイティブフォーマットで前記支援データを表す電磁信号を前記ＳＰＳから受信することを備える、上記Ｃ１１に記載の方法。
［Ｃ２０］
前記少なくとも１つの要素が要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ１１に記載の方法。
［Ｃ２１］
移動局内において、下記手段を備える装置：
受信したＳＰＳ信号に少なくとも部分的に基づいて位置決定プロセスをサポートするために前記移動局によって使用される衛星測位システム（ＳＰＳ）に関連する支援データを特定するための手段；および、
ワイヤレス通信リンクを介して少なくとも１つのメッセージを表す電磁信号を少なくとも１つのネットワークリソースに送信するための手段、ただし、前記少なくとも１つのメッセージが、前記支援データと、前記支援データが様々なフォーマットで利用可能である場合は前記支援データの特定のフォーマットとを識別する少なくとも１つの要素を備える。
［Ｃ２２］
前記メッセージが前記ＳＰＳのみに関連する、上記Ｃ２１に記載の装置。
［Ｃ２３］
前記メッセージが、前記特定のフォーマットを識別することが可能なデータフィールドを備える、上記Ｃ２２に記載の装置。
［Ｃ２４］
前記少なくとも１つのメッセージが、複数のＳＰＳのうちの１つを識別する第１のデータフィールドを使用して前記ＳＰＳに選択的に関連付けることが可能な単一のメッセージを備える、上記Ｃ２１に記載の装置。
［Ｃ２５］
前記単一のメッセージが、前記特定のフォーマットを識別する第２のデータフィールドを備える、上記Ｃ２４に記載の装置。
［Ｃ２６］
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ２１に記載の装置。
［Ｃ２７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ２６に記載の装置。
［Ｃ２８］
支援データが、前記ＳＰＳに関連するエフェメリスデータ、アルマナックデータ、モデルデータ、タイミングデータおよび／または健康データのうちの少なくとも１つを備える、上記Ｃ２１に記載の装置。
［Ｃ２９］
前記支援データの前記特定のフォーマットがネイティブフォーマットまたは非ネイティブフォーマットを備える、上記Ｃ２１に記載の装置。
［Ｃ３０］
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ２１に記載の装置。
［Ｃ３１］
下記手段を備える特定の装置：
移動局からワイヤレス通信リンクを介して送信される少なくとも１つのメッセージを表す電磁信号を受信するための手段、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する少なくとも１つの要素を備える；および、
ワイヤレス通信リンクを介して前記移動局に送信される１つまたは複数のメッセージを表す電磁信号を介して前記支援データを提供するための手段、ただし、前記支援データが前記ＳＰＳに関連しており、前記受信メッセージ中で識別された場合は前記支援データを前記特定のフォーマットで提供する。
［Ｃ３２］
前記受信メッセージが前記ＳＰＳのみに関連する、上記Ｃ３１に記載の特定の装置。
［Ｃ３３］
前記受信メッセージが、前記特定のフォーマットを識別することが可能なデータフィールドを備える、上記Ｃ３２に記載の特定の装置。
［Ｃ３４］
前記受信メッセージが、複数のＳＰＳのうちの１つを識別する第１のデータフィールドを使用して前記ＳＰＳに選択的に関連付けることが可能な単一のメッセージを備える、上記Ｃ３１に記載の特定の装置。
［Ｃ３５］
前記単一のメッセージが、前記特定のフォーマットを識別する第２のデータフィールドを備える、上記Ｃ３４に記載の特定の装置。
［Ｃ３６］
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ３１に記載の特定の装置。
［Ｃ３７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ３６に記載の特定の装置。
［Ｃ３８］
支援データが、前記ＳＰＳに関連するエフェメリスデータ、アルマナックデータ、モデルデータ、タイミングデータおよび／または健康データのうちの少なくとも１つを備える、上記Ｃ３１に記載の特定の装置。
［Ｃ３９］
前記支援データの前記特定のフォーマットがネイティブフォーマットまたは非ネイティブフォーマットを備え、
さらに、前記支援データを前記ネイティブフォーマットで前記ＳＰＳから受信するための手段を備える、上記Ｃ３１に記載の特定の装置。
［Ｃ４０］
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ３１に記載の特定の装置。
［Ｃ４１］
下記を備える移動局：
衛星測位システム（ＳＰＳ）に関連する電磁信号を受信することが実効的に可能である少なくとも１つの受信機；
少なくとも１つのワイヤレストランシーバ；
前記受信機と前記ワイヤレストランシーバとに動作可能に結合され、下記を行うことが実効的に可能である少なくとも１つの処理ユニット：
前記ＳＰＳに関連する前記受信した電磁信号に少なくとも部分的に基づいて位置決定プロセスをサポートするために前記移動局によって使用される前記ＳＰＳに関連する支援データを識別すること；
前記ワイヤレストランシーバを使用して少なくとも１つのネットワークリソースへのワイヤレス通信リンクを介した少なくとも１つのメッセージを表す電磁信号の送信を開始すること、ただし、前記少なくとも１つのメッセージが、前記支援データと前記支援データが様々なフォーマットで利用可能である場合は前記支援データの特定のフォーマットとを識別する少なくとも１つの要素を備える。
［Ｃ４２］
前記メッセージが前記ＳＰＳのみに関連する、上記Ｃ４１に記載の装置。
［Ｃ４３］
前記メッセージが、前記特定のフォーマットを識別することが可能なデータフィールドを備える、上記Ｃ４２に記載の装置。
［Ｃ４４］
前記少なくとも１つのメッセージが、複数のＳＰＳのうちの１つを識別する第１のデータフィールドを使用して前記ＳＰＳに選択的に関連付けることが可能な単一のメッセージを備える、上記Ｃ４１に記載の装置。
［Ｃ４５］
前記単一のメッセージが、前記特定のフォーマットを識別する第２のデータフィールドを備える、上記Ｃ４４に記載の装置。
［Ｃ４６］
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ４１に記載の装置。
［Ｃ４７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ４６に記載の装置。
［Ｃ４８］
支援データが、前記ＳＰＳに関連するエフェメリスデータ、アルマナックデータ、モデルデータ、タイミングデータおよび／または健康データのうちの少なくとも１つを備える、上記Ｃ４１に記載の装置。
［Ｃ４９］
前記支援データの前記特定のフォーマットがネイティブフォーマットまたは非ネイティブフォーマットを備える、上記Ｃ４１に記載の装置。
［Ｃ５０］
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ４１に記載の装置。
［Ｃ５１］
下記を行うことが実効的に可能である少なくとも１つの処理ユニットを備える特定の装置：
移動局からワイヤレス通信リンクを介して送信される少なくとも１つのメッセージを表す信号にアクセスすること、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する少なくとも１つの要素を備える；および、
前記少なくとも１つのメッセージに応答して、ワイヤレス通信リンクを介して前記移動局に１つまたは複数のメッセージ内で前記支援データを表す電磁信号の送信を開始すること、ただし、前記支援データが前記ＳＰＳに関連しており、前記受信メッセージ中で識別された場合は前記支援データが前記特定のフォーマットで提供される。
［Ｃ５２］
前記受信メッセージが前記ＳＰＳのみに関連する、上記Ｃ５１に記載の特定の装置。
［Ｃ５３］
前記受信メッセージが、前記特定のフォーマットを識別することが可能なデータフィールドを備える、上記Ｃ５２に記載の特定の装置。
［Ｃ５４］
前記受信メッセージが、複数のＳＰＳのうちの１つを識別する第１のデータフィールドを使用して前記ＳＰＳに選択的に関連することが可能な単一のメッセージを備える、上記Ｃ５１に記載の特定の装置。
［Ｃ５５］
前記単一のメッセージが、前記特定のフォーマットを識別する第２のデータフィールドを備える、上記Ｃ５４に記載の特定の装置。
［Ｃ５６］
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ５１に記載の特定の装置。
［Ｃ５７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ５６に記載の特定の装置。
［Ｃ５８］
支援データが、前記ＳＰＳに関連するエフェメリスデータ、アルマナックデータ、モデルデータ、タイミングデータおよび／または健康データのうちの少なくとも１つを備える、上記Ｃ５１に記載の特定の装置。
［Ｃ５９］
前記支援データの前記特定のフォーマットがネイティブフォーマットまたは非ネイティブフォーマットを備え、
さらに、前記少なくとも１つの処理ユニットに動作可能に結合され、前記ＳＰＳから前記支援データを前記ネイティブフォーマットで受信することが実効的に可能なＳＰＳ受信機を備える、上記Ｃ５１に記載の特定の装置。
［Ｃ６０］
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ５１に記載の特定の装置。
［Ｃ６１］
移動局中の１つまたは複数の処理ユニットによって実行されると、前記移動局が下記を行うことが実効的に可能になるコンピュータ実行可能命令がその上に記憶されたコンピュータ可読記憶媒体を備える物品：
位置決定プロセスの一部として、受信したＳＰＳ信号に少なくとも部分的に基づいて位置決定プロセスをサポートするために前記移動局によって使用される衛星測位システム（ＳＰＳ）に関連する支援データを識別すること；および、
少なくとも１つのネットワークリソースにワイヤレス通信リンクを介して少なくとも１つのメッセージを表す電磁信号の送信を開始すること、ただし、前記少なくとも１つのメッセージが、前記支援データと前記支援データが様々なフォーマットで利用可能である場合は前記支援データの特定のフォーマットとを識別する少なくとも１つの要素を備える。
［Ｃ６２］
前記メッセージが前記ＳＰＳのみに関連する、上記Ｃ６１に記載の物品。
［Ｃ６３］
前記メッセージが、前記特定のフォーマットを識別することが可能なデータフィールドを備える、上記Ｃ６２に物品。
［Ｃ６４］
前記少なくとも１つのメッセージが、複数のＳＰＳのうちの１つを識別する第１のデータフィールドを使用して前記ＳＰＳに選択的に関連付けることが可能な単一のメッセージを備える、上記Ｃ６１に記載の物品。
［Ｃ６５］
前記単一のメッセージが、前記特定のフォーマットを識別する第２のデータフィールドを備える、上記Ｃ６４に記載の物品。
［Ｃ６６］
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ６１に記載の物品。
［Ｃ６７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ６６に記載の物品。
［Ｃ６８］
支援データが、前記ＳＰＳに関連するエフェメリスデータ、アルマナックデータ、モデルデータ、タイミングデータおよび／または健康データのうちの少なくとも１つを備える、上記Ｃ６１に記載の物品。
［Ｃ６９］
前記支援データの前記特定のフォーマットがネイティブフォーマットまたは非ネイティブフォーマットを備える、上記Ｃ６１に記載の物品。
［Ｃ７０］
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ６１に記載の物品。
［Ｃ７１］
ワイヤレスネットワークリソースデバイスの１つまたは複数の特定の装置によって実行されると、前記特定の装置が下記を行うことが実効的に可能になるコンピュータ実行可能命令がその上に記憶されたコンピュータ可読媒体を備える物品：
移動局からワイヤレス通信リンクを介して受信する１つまたは複数の電磁信号の場合のように少なくとも１つのメッセージを表す少なくとも１つの信号にアクセスすること、ただし、前記少なくとも１つのメッセージが、衛星測位システム（ＳＰＳ）に関連する支援データを識別し、前記支援データが様々なフォーマットで利用可能である場合は前記支援データの特定のフォーマットを識別する少なくとも１つの要素を備える；
前記支援データを表す信号にアクセスすること、ただし、前記支援データが前記ＳＰＳに関連しており、前記受信メッセージ中に識別された場合は前記支援データが前記特定のフォーマットで提供される；および、
前記移動局にワイヤレス通信リンクを介して１つまたは複数のメッセージ内で前記支援データを表す前記アクセス信号を表す１つまたは複数の電磁信号の送信を開始すること。
［Ｃ７２］
前記受信メッセージが前記ＳＰＳのみに関連する、上記Ｃ７１に記載の物品。
［Ｃ７３］
前記受信メッセージが、前記特定のフォーマットを識別することが可能なデータフィールドを備える、上記Ｃ７２に記載の物品。
［Ｃ７４］
前記受信メッセージが、複数のＳＰＳのうちの１つを識別する第１のデータフィールドを使用して前記ＳＰＳに選択的に関連付けることが可能な単一のメッセージを備える、上記Ｃ７１に記載の物品。
［Ｃ７５］
前記単一のメッセージが、前記特定のフォーマットを識別する第２のデータフィールドを備える、上記Ｃ７４に記載の物品。
［Ｃ７６］
前記ＳＰＳが、少なくとも１つのＧｌｏｂａｌ  Ｎａｖｉｇａｔｉｏｎ  Ｓａｔｅｌｌｉｔｅ  Ｓｙｓｔｅｍ（ＧＮＳＳ）を備える、上記Ｃ７１に記載の物品。
［Ｃ７７］
前記少なくとも１つのＧＮＳＳが、Ｇａｌｉｌｅｏ、ＧＬＯＮＡＳＳ、Ｓａｔｅｌｌｉｔｅ  Ｂａｓｅｄ  Ａｕｇｍｅｎｔａｔｉｏｎ  Ｓｙｓｔｅｍ（ＳＢＡＳ）、Ｑｕａｓｉ−Ｚｅｎｉｔｈ  Ｓａｔｅｌｌｉｔｅ  Ｓｙｓｔｅｍ（ＱＺＳＳ）、および／または近代化Ｇｌｏｂａｌ  Ｐｏｓｉｔｉｏｎｉｎｇ  Ｓｙｓｔｅｍ（ＧＰＳ）のうちの少なくとも１つ備える、上記Ｃ７６に記載の物品。
［Ｃ７８］
支援データが、前記ＳＰＳに関連するエフェメリスデータ、アルマナックデータ、モデルデータ、タイミングデータおよび／または健康データのうちの少なくとも１つを備える、上記Ｃ７１に記載の物品。
［Ｃ７９］
前記支援データの前記特定のフォーマットがネイティブフォーマットまたは非ネイティブフォーマットを備える、上記Ｃ７１に記載の物品。
［Ｃ８０］
前記少なくとも１つの要素が、要求要素および／または応答要素のうちの少なくとも１つを備え、前記少なくとも１つの要素が、少なくともＴｅｌｅｃｏｍｍｕｎｉｃａｔｉｏｎｓ  Ｉｎｄｕｓｔｒｙ  Ａｓｓｏｃｉａｔｉｏｎ（ＴＩＡ）ＩＳ−８０１−Ｂ規格および／または関連するＴｈｉｒｄ−Ｇｅｎｅｒａｔｉｏｎ  Ｐａｒｔｎｅｒｓｈｉｐ  Ｐｒｏｊｅｃｔ２（３ＧＰＰ２）規格に準拠する、上記Ｃ７１に記載の物品。
【手続補正４】
【補正対象書類名】図面
【補正対象項目名】図４
【補正方法】変更
【補正の内容】
【図４】
2015078997.tif 000009
【外国語明細書】
2015078997000001.pdf